(57)【要約】【課題】美容室等などのミラーを利用する各種施設で、ディスプレイに映し出された映像とミラーに映し出された姿とを容易に見比べられるようにする。【解決手段】表示光を発する表示画面を有するパネル状のディスプレイパネル（１０２）と、半透過反射面を有し、該半透過反射面の後面の少なくとも一部が表示画面に対向配置されており、表示光が後面側から半透過反射面の前面側に透過すると共に前面側からの外光を前面で反射することでミラーとして機能するハーフミラー（１０１）と、ハーフミラーの前面側に位置する被写体を映像として撮影するカメラ（１１０）と、該撮影された映像を表示させるようにディスプレイパネルを制御する表示制御手段（３００）とを備える。【選択図】  図１
2004357103.tif 000002
【特許請求の範囲】
【請求項１】
表示光を発する表示画面を有するパネル状のディスプレイパネルと、
半透過反射面を有し、該半透過反射面の後面の少なくとも一部が前記表示画面に対向配置されており、前記表示光が前記後面側から前記半透過反射面の前面側に透過すると共に前記前面側からの外光を前記前面で反射することでミラーとして機能するハーフミラーと、
前記前面側に位置する被写体を映像として撮影するカメラと、
該撮影された映像を表示させるように前記ディスプレイパネルを制御する表示制御手段と
を備えたことを特徴とする表示装置付きミラー装置。
【請求項２】
前記カメラは、前記ハーフミラーから前記前面側に離間して配置されており、前記ハーフミラーに映った前記被写体を撮影することを特徴とする請求項１に記載の表示装置付きミラー装置。
【請求項３】
前記カメラは、前記後面側に配置されており、前記ハーフミラーを介して前記被写体を撮影することを特徴とする請求項１に記載の表示装置付きミラー装置。
【請求項４】
前記ディスプレイパネルは半透過型であり、
前記カメラは、前記ディスプレイパネルの後面側から、前記ディスプレイパネル及び前記ハーフミラーを介して前記被写体を撮影することを特徴とする請求項３に記載の表示装置付きミラー装置。
【請求項５】
前記表示画面は前記半透過反射面よりも小さく、前記ディスプレイパネルは、前記半透過反射面の一部のみの後面側に配置されており、
前記カメラは、前記半透過反射面の他部の後面側に配置されており、前記ディスプレイパネルの側方から前記ハーフミラーを介して前記被写体を撮影することを特徴とする請求項３に記載の表示装置付きミラー装置。
【請求項６】
前記カメラは、前記ハーフミラーと前記ディスプレイパネルとの間の空間内に配置されていることを特徴とする請求項３に記載の表示装置付きミラー装置。
【請求項７】
前記カメラは、前記半透過反射面の縁周囲に設けられているたことを特徴とする請求項１に記載の表示装置付きミラー装置。
【請求項８】
前記カメラは、前記半透過反射面に沿った方向に移動可能であることを特徴とする請求項１から８のいずれか一項に記載の表示装置付きミラー装置。
【請求項９】
前記カメラは、前記半透過反射面の一部に代えて又は前記表示画面の一部に代えて設けられていると共に前記被写体を撮影するマイクロスコープを含んでなることを特徴とする請求項１に記載の表示装置付きミラー装置。
【請求項１０】
前記表示制御手段は、前記撮影された映像をリアルタイムで表示するように前記ディスプレイパネルを制御することを特徴とする請求項１から９のいずれか一項に記載の表示装置付きミラー装置。
【請求項１１】
事前に前記カメラで又は他のカメラで撮影された若しくはコンピュータグラフィックスにより生成された映像を記録する記録手段を更に備えており、
前記表示制御手段は、前記記録された映像を表示するように前記ディスプレイパネルを制御することを特徴とする請求項１から１０のいずれか一項に記載の表示装置付きミラー装置。
【請求項１２】
前記記録された映像と前記カメラで撮影された映像とを合成する合成手段を更に備えており、
前記表示制御手段は、前記合成された映像を表示するように前記ディスプレイパネルを制御することを特徴とする請求項１１に記載の表示装置付きミラー装置。
【請求項１３】
前記カメラは、前記被写体が正対する前記ハーフミラーの中央領域から外れた周辺領域に配置された複数のカメラからなり、
該複数のカメラにより撮影された複数の映像に基づいて、前記被写体を正面から撮影した場合に得られる筈の擬似映像を合成する合成手段を更に備えており、
前記表示制御手段は、前記合成された擬似映像を表示するように前記ディスプレイパネルを制御することを特徴とする請求項１から１２のいずれか一項に記載の表示装置付きミラー装置。
【請求項１４】
前記カメラは、相異なる方向から前記被写体を撮影可能な一又は複数のカメラからなることを特徴とする請求項１から１３のいずれか一項に記載の表示装置付きミラー装置。
【請求項１５】
前記表示制御手段は、前記撮影された映像及び前記撮影された映像を左右反転した反転映像の表示を切替え可能とするように前記ディスプレイパネルを制御することを特徴とする請求項１から１４のいずれか一項に記載の表示装置付きミラー装置。
【請求項１６】
表示光を発する表示画面を有するパネル状のディスプレイパネルと、
半透過反射面を有し、該半透過反射面の後面の少なくとも一部が前記表示画面に対向配置されており、前記表示光が前記後面側から前記半透過反射面の前面側に透過すると共に前記前面側からの外光を前記前面で反射することでミラーとして機能するハーフミラーと、
前記表示画面に一の映像及び該一の映像を左右反転した反転映像を切替え可能に表示するように前記ディスプレイパネルを制御する表示制御手段と
を備えたことを特徴とする表示装置付きミラー装置。
【請求項１７】
前記前面側に位置する被写体に向けて前記外光の少なくとも一部となる光源光を発する光源を更に備えたことを特徴とする請求項１から１６のいずれか一項に記載の表示装置付きミラー装置。
【請求項１８】
表示光を発する表示画面を有するパネル状のディスプレイパネルと、
半透過反射面を有し、該半透過反射面の後面の少なくとも一部が前記表示画面に対向配置されており、前記表示光が前記後面側から前記半透過反射面の前面側に透過すると共に前記前面側からの外光を前記前面で反射することでミラーとして機能するハーフミラーと、
前記前面側に位置する被写体に向けて前記外光の少なくとも一部となる光源光を発する光源と
を備えたことを特徴とする表示装置付きミラー装置。
【請求項１９】
前記光源は少なくとも部分的に、前記ハーフミラーの後面側に配置されており、前記ハーフミラーを介して前記被写体に向けて前記光源光を発することを特徴とする請求項１７又は１８に記載の表示装置付きミラー装置。
【請求項２０】
前記ディスプレイパネルは、前記表示画面内の所定領域から、前記ハーフミラーを介して前記被写体に向けて前記光源光を発することで前記光源の少なくとも一部として機能することを特徴とする請求項１８に記載の表示装置付きミラー装置。
【請求項２１】
前記前面側における前記外光の強度を検出する外光検出手段と、
該外光検出手段による検出結果に応じて、前記光源を点灯又は消灯する光源制御手段と
を更に備えたことを特徴とする請求項１７から２０のいずれか一項に記載の表示装置付きミラー装置。
【請求項２２】
前記被写体の存在及び前記被写体の視線のうち少なくとも一方を検出する被写体検出手段と、
該被写体検出手段による検出結果に応じて、前記光源を点灯又は消灯する光源制御手段と
を更に備えたことを特徴とする請求項１７から２１のいずれか一項に記載の表示装置付きミラー装置。
【請求項２３】
表示光を発する表示画面を有するパネル状のディスプレイパネルと、
半透過反射面を有し、該半透過反射面の後面の少なくとも一部が前記表示画面に対向配置されており、前記表示光が前記後面側から前記半透過反射面の前面側に透過すると共に前記前面側からの外光を前記前面で反射することでミラーとして機能するハーフミラーと、
前記前面側に位置する被写体の存在及び前記被写体の視線のうち少なくとも一方を検出する被写体検出手段と、
前記被写体検出手段による検出結果に応じて、前記ディスプレイパネルを表示開始又は表示終了する表示制御手段と
を備えたことを特徴とする表示装置付きミラー装置。
【請求項２４】
前記表示制御手段は、前記被写体の存在及び視線のうち少なくとも一方が検出されると、前記ハーフミラーの一部を介して前記表示光を発すると共に前記ハーフミラーの一部を前記ミラーとして機能させるように前記ディスプレイパネルを制御し、前記被写体の存在及び視線のうち少なくとも一方が検出されないと、前記ハーフミラーの全部を介して前記表示光を発するか又は前記ハーフミラーの全部を前記ミラーとして機能させるように前記ディスプレイパネルを制御することを特徴とする請求項２３に記載の表示装置付きミラー装置。
【請求項２５】
表示光を発する表示画面を有するパネル状のディスプレイパネルと、
半透過反射面を有し、該半透過反射面の後面の少なくとも一部が前記表示画面に対向配置されており、前記表示光が前記後面側から前記半透過反射面の前面側に透過すると共に前記前面側からの外光を前記前面で反射することでミラーとして機能するハーフミラーと、
前記前面側における前記外光の強度を検出する外光検出手段と、
前記外光検出手段による検出結果に応じて、前記ディスプレイパネルを表示開始又は表示終了する表示制御手段と
を備えたことを特徴とする表示装置付きミラー装置。
【請求項２６】
表示光を発する表示画面を有するパネル状のディスプレイパネルと、
半透過反射面を有し、該半透過反射面の後面の少なくとも一部が前記表示画面に対向配置されており、前記表示光が前記後面側から前記半透過反射面の前面側に透過すると共に前記前面側からの外光を前記前面で反射することでミラーとして機能するハーフミラーと、
前記ハーフミラーの前面側に配置されていると共に前記ハーフミラーを介して前記表示画面に表示された映像における座標位置を指示可能なタッチパネルと
を備えたことを特徴とする表示装置付きミラー装置。
【請求項２７】
前記タッチパネルは、光学的に前記座標位置を検出する非接触型タッチパネルを含んでなることを特徴とする請求項２５に記載の表示装置付きミラー装置。
【請求項２８】
表示光を発する表示画面を有するパネル状のディスプレイパネルと、
半透過反射面を有し、該半透過反射面の後面の少なくとも一部が前記表示画面に対向配置されており、前記表示光が前記後面側から前記半透過反射面の前面側に透過すると共に前記前面側からの外光を前記前面で反射することでミラーとして機能するハーフミラーと、
前記ハーフミラーと前記ディスプレイパネルとの間に配置されており、透過率が可変である光学シャッターと
を備えたことを特徴とする表示装置付きミラー装置。
【請求項２９】
表示光を発する表示画面を有するパネル状のディスプレイパネルと、
半透過反射面を有し、該半透過反射面の後面の少なくとも一部が前記表示画面に対向配置されており、前記表示光が前記後面側から前記半透過反射面の前面側に透過すると共に前記前面側からの外光を前記前面で反射することでミラーとして機能するハーフミラーと
を備えており、
前記ハーフミラーは、反射率及び透過率が可変であることを特徴とする表示装置付きミラー装置。
【請求項３０】
表示光を発する表示画面を有するパネル状のディスプレイパネルと、
半透過反射面を有し、該半透過反射面の後面の少なくとも一部が前記表示画面に対向配置されており、前記表示光が前記後面側から前記半透過反射面の前面側に透過すると共に前記前面側からの外光を前記前面で反射することでミラーとして機能するハーフミラーと
を備えており、
前記表示画面は前記半透過反射面よりも小さく、前記ディスプレイパネルは、前記半透過反射面の一部のみの後面側に配置されており、（ｉ）前記前面側から前記半透過反射面を介しての前記表示画面と（ｉｉ）前記前面のうち前記ミラーとして機能する部分との両者を同時に又は相前後して視察可能に構成されていることを特徴とする表示装置付きミラー装置。
【請求項３１】
前記ディスプレイパネルは、自発光型ディスプレイパネルからなることを特徴とする請求項１から３０のいずれか一項に記載の表示装置付きミラー装置。
【発明の詳細な説明】
【０００１】
【発明の属する技術分野】
本発明は、例えば美容室、床屋等の美容関連施設、アパレル等のファッション関連施設などのミラーを利用する各種施設で好適に使用されるミラーと表示装置とを組み合わせてなる表示装置付きミラー装置の技術分野に属する。
【０００２】
【従来の技術】
従来、例えば美容関連施設等において髪型相談などの顧客対応は、伝統的に紙媒体を利用して行われている。そして、近時におけるパソコンの発達により、例えば髪型リスト等をパソコン画面に映し出し、これと店内ミラーや手鏡等に映し出された顧客の姿とを、顧客や店員が見比べることで、カウンセリングを行うなどの顧客対応も稀に行われている。
【０００３】
他方、表示装置付きミラー装置としては、例えば特許文献１に開示されているように、テレビの前面にハーフミラーが配置されたドレッサー兼用テレビなる技術が提案されている。この技術によれば、テレビのスイッチをオンすれば、テレビとして使用でき、テレビのスイッチをオフすれば、ドレッサーのミラーとして利用できるとされている。
【０００４】
【特許文献１】
実開平２−３８８７９号公報
【０００５】
【発明が解決しようとする課題】
しかしながら、前述した従来の、パソコンを利用した顧客対応によれば、パソコン画面に映し出された映像とミラーに映し出された姿との両者を同時に或いは相前後して、顧客や店員が見ること、即ち的確に見比べることは困難或いは不可能であるという技術的問題点がある。更に実践上は、パソコン機器を配置するためには、既に標準化された美容関連施設内の限られたスペースでは足りないため、店内増改築を余儀なくされるか、当該パソコン機器の設置を断念するしかない。加えて、仮にパソコン機器を配置するスペース確保が可能であったとしても、キーボード操作やマウス操作などの、これを操作すること自体が美容行為の妨げになり兼ねない或いは美容行為の効率的実施の妨げになり兼ねない等の問題点も生じる。
【０００６】
他方、特許文献１の技術によれば、ミラーとしての機能とテレビとしての機能とは別個独立したものであり、それ以上の有機的な関係は存在しておらず、省スペース化についても殆ど又は全く図られていないという技術的問題点がある。仮に、このようなドレッサーを例えば美容室等に無理に（例えば施設を改造して）配備したとしても、ミラーを見ていない間に、テレビを視聴できる程度の利益は得られる。しかしながら、テレビ番組を見ても、肝心の美容上における利用価値に資するところは殆ど又は全く無い。
【０００７】
本発明は、例えば上述した問題点に鑑みなされたものであり、例えば美容室等の美容関連施設、ファッション関連施設などのミラーを利用する各種施設で、ディスプレイに映し出された映像とミラーに映し出された姿とを容易にして且つ的確に見比べることを可能ならしめる表示装置付きミラー装置を提供することを課題とする。
【０００８】
【課題を解決するための手段】
本発明の請求項１に記載の表示装置付きミラー装置は上記課題を解決するために、表示光を発する表示画面を有するパネル状のディスプレイパネルと、半透過反射面を有し、該半透過反射面の後面の少なくとも一部が前記表示画面に対向配置されており、前記表示光が前記後面側から前記半透過反射面の前面側に透過すると共に前記前面側からの外光を前記前面で反射することでミラーとして機能するハーフミラーと、前記前面側に位置する被写体を映像として撮影するカメラと、該撮影された映像を表示させるように前記ディスプレイパネルを制御する表示制御手段とを備える。
【０００９】
本発明の請求項１６に記載の表示装置付きミラー装置は上記課題を解決するために、表示光を発する表示画面を有するパネル状のディスプレイパネルと、半透過反射面を有し、該半透過反射面の後面の少なくとも一部が前記表示画面に対向配置されており、前記表示光が前記後面側から前記半透過反射面の前面側に透過すると共に前記前面側からの外光を前記前面で反射することでミラーとして機能するハーフミラーと、前記表示画面に一の映像及び該一の映像を左右反転した反転映像を切替え可能に表示するように前記ディスプレイパネルを制御する表示制御手段とを備える。
【００１０】
本発明の請求項１８に記載の表示装置付きミラー装置は上記課題を解決するために、表示光を発する表示画面を有するパネル状のディスプレイパネルと、半透過反射面を有し、該半透過反射面の後面の少なくとも一部が前記表示画面に対向配置されており、前記表示光が前記後面側から前記半透過反射面の前面側に透過すると共に前記前面側からの外光を前記前面で反射することでミラーとして機能するハーフミラーと、前記前面側に位置する被写体に向けて前記外光の少なくとも一部となる光源光を発する光源とを備える。
【００１１】
本発明の請求項２３に記載の表示装置付きミラー装置は上記課題を解決するために、表示光を発する表示画面を有するパネル状のディスプレイパネルと、半透過反射面を有し、該半透過反射面の後面の少なくとも一部が前記表示画面に対向配置されており、前記表示光が前記後面側から前記半透過反射面の前面側に透過すると共に前記前面側からの外光を前記前面で反射することでミラーとして機能するハーフミラーと、前記前面側に位置する被写体の存在及び前記被写体の視線のうち少なくとも一方を検出する被写体検出手段と、前記被写体検出手段による検出結果に応じて、前記ディスプレイパネルを表示開始又は表示終了する表示制御手段とを備える。
【００１２】
本発明の請求項２５に記載の表示装置付きミラー装置は上記課題を解決するために、表示光を発する表示画面を有するパネル状のディスプレイパネルと、半透過反射面を有し、該半透過反射面の後面の少なくとも一部が前記表示画面に対向配置されており、前記表示光が前記後面側から前記半透過反射面の前面側に透過すると共に前記前面側からの外光を前記前面で反射することでミラーとして機能するハーフミラーと、前記前面側における前記外光の強度を検出する外光検出手段と、前記外光検出手段による検出結果に応じて、前記ディスプレイパネルを表示開始又は表示終了する表示制御手段とを備える。
【００１３】
本発明の請求項２６に記載の表示装置付きミラー装置は上記課題を解決するために、表示光を発する表示画面を有するパネル状のディスプレイパネルと、半透過反射面を有し、該半透過反射面の後面の少なくとも一部が前記表示画面に対向配置されており、前記表示光が前記後面側から前記半透過反射面の前面側に透過すると共に前記前面側からの外光を前記前面で反射することでミラーとして機能するハーフミラーと、前記ハーフミラーの前面側に配置されていると共に前記ハーフミラーを介して前記表示画面に表示された映像における座標位置を指示可能なタッチパネルとを備える。
【００１４】
本発明の請求項２８に記載の表示装置付きミラー装置は上記課題を解決するために、表示光を発する表示画面を有するパネル状のディスプレイパネルと、半透過反射面を有し、該半透過反射面の後面の少なくとも一部が前記表示画面に対向配置されており、前記表示光が前記後面側から前記半透過反射面の前面側に透過すると共に前記前面側からの外光を前記前面で反射することでミラーとして機能するハーフミラーと、前記ハーフミラーと前記ディスプレイパネルとの間に配置されており、透過率が可変である光学シャッターとを備える。
【００１５】
本発明の請求項２９に記載の表示装置付きミラー装置は上記課題を解決するために、表示光を発する表示画面を有するパネル状のディスプレイパネルと、半透過反射面を有し、該半透過反射面の後面の少なくとも一部が前記表示画面に対向配置されており、前記表示光が前記後面側から前記半透過反射面の前面側に透過すると共に前記前面側からの外光を前記前面で反射することでミラーとして機能するハーフミラーとを備えており、前記ハーフミラーは、反射率及び透過率が可変である。
【００１６】
本発明の請求項３０に記載の表示装置付きミラー装置は上記課題を解決するために、表示光を発する表示画面を有するパネル状のディスプレイパネルと、半透過反射面を有し、該半透過反射面の後面の少なくとも一部が前記表示画面に対向配置されており、前記表示光が前記後面側から前記半透過反射面の前面側に透過すると共に前記前面側からの外光を前記前面で反射することでミラーとして機能するハーフミラーとを備えており、前記表示画面は前記半透過反射面よりも小さく、前記ディスプレイパネルは、前記半透過反射面の一部のみの後面側に配置されており、（ｉ）前記前面側から前記半透過反射面を介しての前記表示画面と（ｉｉ）前記前面のうち前記ミラーとして機能する部分との両者を同時に又は相前後して視察可能に構成されている。
【００１７】
本発明の作用及び他の利得は次に説明する実施の形態から明らかにされよう。
【００１８】
【発明の実施の形態】
以下、本発明の表示装置付きミラー装置の実施形態について順に説明する。
【００１９】
本発明の表示装置付きミラー装置の第１実施形態は、表示光を発する表示画面を有するパネル状のディスプレイパネルと、半透過反射面を有し、該半透過反射面の後面の少なくとも一部が前記表示画面に対向配置されており、前記表示光が前記後面側から前記半透過反射面の前面側に透過すると共に前記前面側からの外光を前記前面で反射することでミラーとして機能するハーフミラーと、前記前面側に位置する被写体を映像として撮影するカメラと、該撮影された映像を表示させるように前記ディスプレイパネルを制御する表示制御手段とを備える。
【００２０】
本発明の第１実施形態によれば、ハーフミラーは、前面側からの外光を前面で反射することで、通常のミラーとして機能する。即ち、ハーフミラーの前面側に、被写体が位置するようにハーフミラーを配置すれば、被写体からの外光が反射することで、被写体の鏡像がハーフミラー上に映し出される。
【００２１】
ここで特に、ハーフミラーの前面側に位置しており、従ってハーフミラーに自らの姿を映している被写体を、カメラは映像として撮影する。更に、表示制御手段による制御下で、ディスプレイパネルは、該撮影された映像を表示する。すると、ディスプレイの表示画面から発せられた表示光は、ハーフミラーの後面側から前面側へと半透過反射面を透過する。従って、カメラに撮影された被写体の映像がハーフミラーにおけるディスプレイパネルと対向する領域（即ち、ハーフミラーの全領域又は一領域）に表示されることになる。これらの結果、（ｉ）通常のミラーの場合と同様にハーフミラー上に映し出された、被写体の鏡像と（ｉｉ）ディスプレイパネルに表示され且つハーフミラーを介して見える被写体の表示画像との両者を、同時に又は相前後して同一領域又は隣接領域に表示することが可能となる。従って、例えば美容関連施設、ファッション関連施設などのミラーを利用する各種施設において、当該ハーフミラーを、通常のミラーとして使用可能であると共に、カメラにより撮影された被写体の姿をそのまま又は加工後に適宜表示する表示画面として利用できる。
【００２２】
しかも、ハーフミラー上に鏡像を映したり被写体の表示画像を映したりすることを、ハーフミラーの面内の同一領域に相前後して表示したり、若しくはハーフミラー内の相隣接する領域に相前後して又は同時に表示したり、ハーフミラーの面内の同一領域に同時に重ねて表示することも可能である。このため、例えば美容関連施設、ファッション関連施設などにおける顧客等のサービス受領者や美容師等のサービス提供者は、一つのハーフミラーによって、鏡像と表示画像とを視覚的に比較考量することが極めて容易となり、顧客満足度の向上及びサービスの質向上を顕著に図ることが可能となる。例えば、ミラーとして機能するハーフミラー上に映し出される顧客等の姿と、ハーフミラーを介して表示された顧客等の映像との両方を、顧客等自身が又は美容師等が見比べながら、髪型相談等を行なうことが可能となる。
【００２３】
尚、カメラは、被写体たる顧客等の初期状態や仕上がりの様子を自動的に撮影するように構成してもよいし、美容師等による手動により撮影するように構成してもよい。更に、撮影された映像は、リアルタイムで又は記録媒体への記録後に、そのまま又はトリミング後にハーフミラーを介して表示してもよいし、若しくは、例えば予め用意されたカタログ中の髪型映像と合成した後に合成画像としてハーフミラーを介して表示してもよい。
【００２４】
加えて、カメラは、被写体を正面からのみ撮影する用途のみではなく、被写体をその側方、後方、上方、下方などから撮影することも可能である。
【００２５】
以上のように本発明の第１実施形態によれば、例えば美容室等の美容関連施設、ファッション関連施設などのミラーを利用する各種施設で、ハーフミラーを介して表示された映像とミラーに映し出された被写体の姿とを、容易にして且つ的確に見比べることが可能となる。
【００２６】
本発明の第１実施形態の一態様では、前記カメラは、前記ハーフミラーから前記前面側に離間して配置されており、前記ハーフミラーに映った前記被写体を撮影する。
【００２７】
この態様によれば、カメラは、前面側に離間して配置されており、ハーフミラー側から見て、例えば被写体の側方や斜め後方に配置されている。そして、カメラは、ハーフミラーに映った被写体を撮影する。すると、カメラは、鏡像を撮影したことになるので、現実の被写体に対して左右反転した映像を撮影することになる。従って、カメラに撮影された映像は、敢えて反転処理等の特殊処理を施さ無い限り、ハーフミラーを介して反転映像として表示される。ここで特に、被写体のミラーに映し出された姿は、鏡像に他ならない。従って、ハーフミラーを介して表示された反転映像とハーフミラー上に映し出された鏡像とは、両者共に同様に反転した像であるので、両者を容易にして且つ的確に見比べることが可能となる。特に、人間の顔や姿は、実際には左右非対称であり、髪型や衣服等も左右非対称である場合が通常であるので、このようにいずれも反転状態である被写体の鏡像と被写体の反転映像とを見比べることを可能ならしめる本態様は、美容関連施設、ファッション関連施設などで、実践上極めて有益である。尚、本実施形態に係る後述する他の態様では、反転手段の採用により、ハーフミラーを介して表示可能な映像は、反転状態及び非反転状態のいずれでも表示可能とされる。
【００２８】
或いは本発明の第１実施形態の他の態様では、前記カメラは、前記後面側に配置されており、前記ハーフミラーを介して前記被写体を撮影する。
【００２９】
この態様によれば、カメラは、ハーフミラーの半透過反射面の後面側に配置されている。そして、カメラは、ハーフミラーを介して被写体を撮影する。従って、例えば、ハーフミラーの裏側に隠れているカメラにより撮影されるので、顧客等の被写体がハーフミラーに正面を向いて位置していれば、該被写体を正面から撮影することが可能となる。しかも、被写体から見てカメラはハーフミラーの裏側に隠れているので、意匠的にもスペース的にも優れており且つ被写体にカメラの存在を意識させること無く撮影を実行可能となるので、美容関連施設、ファッション関連施設などで、実践上極めて有益である。
【００３０】
このハーフミラーを介して撮影するカメラに係る態様では、前記ディスプレイパネルは半透過型であり、前記カメラは、前記ディスプレイパネルの後面側から、前記ディスプレイパネル及び前記ハーフミラーを介して前記被写体を撮影するように構成してもよい。
【００３１】
このように構成すれば、ディスプレイパネルをハーフミラーの全領域に対向配置しても、カメラによるハーフミラーを介しての撮影が可能となる。或いは、ディスプレイパネルをハーフミラーの中央に対向配置しても、ハーフミラーの中央からカメラによるハーフミラーを介しての撮影が可能となる。いずれの場合にも、顧客等の被写体が、ハーフミラーの中央に正対する姿勢をとれば、被写体を正面から撮影することが可能となり、実践上極めて有益である。尚、このような半透過型のディスプレイパネルとしては、例えば、プラズマディスプレイパネル（ＰＤＰ）、有機ＥＬパネル、液晶ディスプレイパネル（ＬＣＤ）等を利用できる。係る半透過型のディスプレイパネルは、例えば部分的に透明又は半透明の部分を設けたり、例えば透明基板上に電極や素子を半透明に形成すればよい。
【００３２】
或いはこのハーフミラーを介して撮影するカメラに係る態様では、前記表示画面は前記半透過反射面よりも小さく、前記ディスプレイパネルは、前記半透過反射面の一部のみの後面側に配置されており、前記カメラは、前記半透過反射面の他部の後面側に配置されており、前記ディスプレイパネルの側方から前記ハーフミラーを介して前記被写体を撮影するように構成してもよい。
【００３３】
このように構成すれば、被写体から見たハーフミラーの後方スペースが効率的に利用されて、ディスプレイパネルはその一部に配置され、カメラはその他の一部に配置される。すると、ディスプレイパネルが透過型でなくとも、ハーフミラーを介してのカメラによる撮影が可能となる。例えば、カメラをハーフミラーの中央に対向配置すれば、ハーフミラーに正対する被写体を正面から撮影可能となる。他方で、ハーフミラーの中央から左右又は上下に外れた領域に対向配置されたディスプレイパネルによって、当該中央から外れた領域においてハーフミラーを介して画像表示できる。或いは、例えば、カメラをハーフミラーの中央領域から左右又は上下に外れた個所に対向配置すれば、ハーフミラーに正対する被写体を概ね正面から撮影可能となる。他方で、ハーフミラーの中央領域に対向配置されたディスプレイパネルによって、当該中央領域においてハーフミラーを介して画像表示できる。
【００３４】
或いはこのハーフミラーを介して撮影するカメラに係る態様では、前記カメラは、前記ハーフミラーと前記ディスプレイパネルとの間の空間内に配置されているように構成してもよい。
【００３５】
このように構成すれば、ハーフミラーとディスプレイパネルとの間の空間を利用することで、ハーフミラーを介して撮影可能なカメラをハーフミラーの面に沿った任意の位置に配置できる。この際、カメラの位置は適当な固定手段によって固定されてもよいし、適当な移動手段によって自動又手動により可変でもよい。ディスプレイパネルの画面全体に占める割合が、十分小さい小型カメラであれば、若しくはこれに代えて又は加えて、カメラがディスプレイパネルの端付近に配置されているのであれば、ディスプレイパネルによる画像表示の際に、該カメラがディスプレイパネルの画面の一部を遮るような配置であっても実害は殆ど又は全く無い。他方、カメラをハーフミラーの面に沿って移動可能としておき、ディスプレイパネルにより画像表示を行う際には、ディスプレイパネルを遮らない位置にカメラを退避させ、撮影時にカメラを例えばディスプレイパネルの画面の中央付近に移動させるように構成してもよい。このようなカメラの撮影スタンバイとカメラの退避との自動的な切り替えは、画像表示のための映像信号の出力、或いはディスプレイパネルからの表示光の検出に連動させることで可能となる。
【００３６】
いずれの場合にも、カメラとして、例えばＣＣＤカメラを採用すれば、狭い空間内にも配置可能であるので、実践上有利である。但し、その他の形式の小型カメラを利用してもよいし、或いは比較的大型のカメラであっても、ハーフミラーとディスプレイパネルとの間の空間を大きく採れば、配置可能である。
【００３７】
本発明の第１実施形態の他の態様では、前記カメラは、前記半透過反射面の縁周囲に設けられている。
【００３８】
この態様によれば、カメラによってハーフミラーに映る鏡像や、ハーフミラーを介して見える表示画像を遮ることはなくなる。
【００３９】
加えて、例えば、造花や装飾品の一部に小型カメラを忍ばせるように構成してもよい。このように構成すれば、カメラの存在によって、美容関連施設等における意匠性やファッション性を損なうことを防止できる。
【００４０】
本発明の第１実施形態の他の態様では、前記カメラは、前記半透過反射面に沿った方向に移動可能である。
【００４１】
この態様によれば、撮影時にのみ、例えばハーフミラーの中央に対向する位置など、カメラを撮影に適した位置に移動させ、非撮影には、ハーフミラーによる鏡像や表示画像の邪魔とならないような位置へ退避させることが可能となる。
【００４２】
より具体的には、上述の如き小型や大型のカメラが、撮影時にのみ被写体に対面する位置に、機械的、電気的、電磁気的など自動的に移動可能なように構成するとよい。但し、手動により移動可能なように構成してもよい。更に、当該表示装置付きミラー装置にケーブルで或いは無線で接続されたデジタルカメラで撮影することも可能であり、或いは、デジタルカメラで撮影されメモリスティック等の記録媒体に記録された映像をこの記録媒体を介して当該表示装置付きミラー装置に取り込むように構成することも可能である。
【００４３】
或いは本発明の第１実施形態の他の態様では、前記カメラは、前記半透過反射面の一部に代えて又は前記表示画面の一部に代えて設けられていると共に前記被写体を撮影するマイクロスコープを含んでなる。
【００４４】
この態様によれば、例えば美容室等に配置されるミラーは、巨大であり且つある程度の距離を隔てて姿を映し出すのが通常であるので、マイクロスコープが、ハーフミラー面内で視覚上目立たないようにできる。特に、ハーフミラーの中央から上下又は左右にずらした位置に配置しておけば、なおさら目立たないようにできる。
【００４５】
本発明の第１実施形態の他の態様では、前記表示制御手段は、前記撮影された映像をリアルタイムで表示するように前記ディスプレイパネルを制御する。
【００４６】
この態様によれば、表示制御手段による制御下で、ディスプレイパネルは、リアルタイムで表示可能であるので、カメラテストや、記録保存用やシミュレーション用の映像の確認を行ったり、過去に自らを撮影した映像やカタログ中の映像との比較を行うなど、利用方法の範囲が広がる。
【００４７】
本発明の第１実施形態の他の態様では、事前に前記カメラで又は他のカメラで撮影された若しくはコンピュータグラフィックスにより生成された映像を記録する記録手段を更に備えており、前記表示制御手段は、前記記録された映像を表示するように前記ディスプレイパネルを制御する。
【００４８】
この態様によれば、表示制御手段による制御下で、ディスプレイパネルは、記録手段に記録された、事前に撮影された映像や、コンピュータグラフィックスにより生成された映像を表示可能である。従って、（ｉ）過去に自らを撮影した映像、カタログ中の他のモデル等を撮影した映像、コンピュータグラフィックスにより生成された映像などの、記録手段に記録された映像と、（ｉｉ）ハーフミラーに映し出された鏡像との比較を行うことが可能となる。
【００４９】
尚、記録手段としては、ハードディスク、光ディスク、メモリ等でもよいし、ネットワークを介して接続されたサーバ装置内の大型記録装置でもよい。或いは、メモリスティック、メモリカード等の持ち運び可能な記録手段でもよいし、これを顧客等が保管したり、美容関連施設等で保管してもよい。
【００５０】
この態様では、前記記録された映像と前記カメラで撮影された映像とを合成する合成手段を更に備えており、前記表示制御手段は、前記合成された映像を表示するように前記ディスプレイパネルを制御するように構成してもよい。
【００５１】
このように構成すれば、表示制御手段による制御下で、ディスプレイパネルは、例えば自らの映像にカタログ中の映像を合成した映像と、ハーフミラーに映し出された自らの鏡像との比較を行うことが可能となる。
【００５２】
本発明の第１実施形態の他の態様では、前記カメラは、前記被写体が正対する前記ハーフミラーの中央領域から外れた周辺領域に配置された複数のカメラからなり、該複数のカメラにより撮影された複数の映像に基づいて、前記被写体を正面から撮影した場合に得られる筈の擬似映像を合成する合成手段を更に備えており、前記表示制御手段は、前記合成された擬似映像を表示するように前記ディスプレイパネルを制御する。
【００５３】
この態様によれば、カメラは、ハーフミラーの周辺領域に複数配置されている。そして、合成手段は、該複数のカメラにより撮影された複数の映像に基づいて、被写体を正面から撮影した場合に得られる筈の擬似映像を合成する。その後、表示制御手段による制御下で、ディスプレイパネルは、このように合成された擬似映像を表示する。従って、ハーフミラーの中央にカメラを配置しなくても、被写体をハーフミラーの中央に正対させたままで、恰もハーフミラーの中央にカメラを配置して撮影した場合と同様に、被写体の正面からの映像を撮影できる。
【００５４】
本発明の第１実施形態の他の態様では、前記カメラは、相異なる方向から前記被写体を撮影可能な一又は複数のカメラからなる。
【００５５】
この態様によれば、例えば、被写体である顧客の顔を正面から撮影した映像、右斜前から撮影した映像、左斜前から撮影した映像、左右の横顔の映像、後方からの映像、上方又は下方からの映像など、各種方向からの映像を撮影可能となる。よって、各種方向からの映像を記録したり、更にこれをハーフミラーを介して表示することが可能となる。このように複数の方向からの映像を撮影するためには、複数台のカメラを複数の位置に固定又は可動に配置しておいてもよい。若しくは、一台のカメラを、手で保持して所望の方向から撮影可能としてもよい。又は、中央に当該表示装置付きミラー装置のハーフミラーが配置されてなる三面鏡の両側の鏡や手鏡などの、補助的な鏡に映る映像をカメラで撮影することで、複数の方向からの映像を撮影することも可能である。これらにより、複数の方向からの映像を同時に又は相前後して撮影可能となる。この際、方向を連続的に変化させながら撮影することも勿論可能である。
【００５６】
本発明の第１実施形態の他の態様では、前記表示制御手段は、前記撮影された映像及び前記撮影された映像を左右反転した反転映像の表示を切替え可能とするように前記ディスプレイパネルを制御する。
【００５７】
この態様によれば、表示制御手段による切替え制御によって、ディスプレイパネルは、撮影された映像を左右反転した反転映像を表示する。ここで特に、被写体のミラーに映し出された姿は、鏡像に他ならない。従って、ハーフミラーを介して表示された反転映像とハーフミラー上に映し出された鏡像とは、両者共に同様に反転した像であるので、両者を容易にして且つ的確に見比べることが可能となる。
【００５８】
尚、カメラで撮影する際に、その光学系で物体光を左右反転させた後に、反転映像を撮影するようにしてもよいし、カメラで撮影した後に左右反転させる信号処理を施した後に、記録手段に記録してもよい。いずれの場合にも、この態様と同様に左右反転した反転映像をディスプレイパネルに表示させることが可能となる。
【００５９】
加えて、反転映像と反転しない映像とを、ハーフミラーの面内の同一領域に相前後して表示したり、若しくはハーフミラー内の相隣接する領域に相前後して又は同時に表示したり、ハーフミラーの面内の同一領域に同時に重ねて表示することも可能である。
【００６０】
本発明の表示装置付きミラー装置の第２実施形態は、表示光を発する表示画面を有するパネル状のディスプレイパネルと、半透過反射面を有し、該半透過反射面の後面の少なくとも一部が前記表示画面に対向配置されており、前記表示光が前記後面側から前記半透過反射面の前面側に透過すると共に前記前面側からの外光を前記前面で反射することでミラーとして機能するハーフミラーと、前記表示画面に一の映像及び該一の映像を左右反転した反転映像を切替え可能に表示するように前記ディスプレイパネルを制御する表示制御手段とを備える。
【００６１】
本発明の第２実施形態によれば、ハーフミラーは、前面側からの外光を前面で反射することで、通常のミラーとして機能する。
【００６２】
ここで特に、表示制御手段による切替え制御によって、ディスプレイパネルは、一の映像又はその反転映像を表示する。すると、ディスプレイの表示画面から発せられた表示光は、ハーフミラーの後面側から前面側へと半透過反射面を透過する。従って、一の映像又はその反転映像がハーフミラーにおけるディスプレイパネルと対向する領域に表示されることになる。これらの結果、ハーフミラー上に映し出された被写体の鏡像とハーフミラーを介して見える一の映像又はその反転映像との両者を、同時に又は相前後して同一領域又は隣接領域に表示することが可能となる。従って、例えば美容関連施設、ファッション関連施設などのミラーを利用する各種施設において、当該ハーフミラーを、通常のミラーとして使用可能であると共に、一の映像又はその反転映像を適宜表示する表示画面として利用できる。特に、人間の顔や姿は、実際には左右非対称であり、髪型や衣服等も左右非対称である場合が通常であるので、このように一の映像又はその反転映像と、被写体の鏡像とを見比べることを可能ならしめる第２実施形態は、美容関連施設、ファッション関連施設などで、実践上極めて有益である。
【００６３】
以上のように本発明の第２実施形態によれば、例えば美容室等の美容関連施設、ファッション関連施設などのミラーを利用する各種施設で、ハーフミラーを介して表示された映像とミラーに映し出された被写体の姿とを、容易にして且つ的確に見比べることが可能となる。
【００６４】
本発明の第１又は第２実施形態の他の態様では、前記前面側に位置する被写体に向けて前記外光の少なくとも一部となる光源光を発する光源を更に備える。
【００６５】
この態様によれば、光源によって被写体に向けて外光が照射されるので、ハーフミラー上における被写体の鏡像を明るくできる。
【００６６】
本発明の表示装置付きミラー装置の第３実施形態は、表示光を発する表示画面を有するパネル状のディスプレイパネルと、半透過反射面を有し、該半透過反射面の後面の少なくとも一部が前記表示画面に対向配置されており、前記表示光が前記後面側から前記半透過反射面の前面側に透過すると共に前記前面側からの外光を前記前面で反射することでミラーとして機能するハーフミラーと、前記前面側に位置する被写体に向けて前記外光の少なくとも一部となる光源光を発する光源とを備える。
【００６７】
本発明の第３実施形態によれば、ハーフミラーは、前面側からの外光を前面で反射することで、通常のミラーとして機能する。ここで特に、光源によって被写体に向けて外光が照射されるので、ハーフミラー上における被写体の鏡像を明るくできる。即ち、顧客等の被写体を、ミラーとして機能するハーフミラー上に、一層明るく映し出すことが可能となる。或いは、これに加えて又は代えて、例えば、被写体をカメラにより撮影する場合には、被写体を明るくすることも可能である。
【００６８】
他方、ディスプレイパネルが映像を表示すると、その表示画面から発せられた表示光は、ハーフミラーの後面側から前面側へと半透過反射面を透過する。従って、表示画像がハーフミラーにおけるディスプレイパネルと対向する領域に表示されることになる。これらの結果、ハーフミラー上に映し出された被写体の鏡像とハーフミラーを介して見える表示画像との両者を、同時に又は相前後して同一領域又は隣接領域に表示することが可能となる。特に外光が強いと、ハーフミラーを介して見える表示画像は、一般に見え難くなると共にハーフミラーはミラーとして鏡像を映し出す機能を高める。逆に、外光が弱いと、ハーフミラーを介して見える表示画像は、一般に見え易くなると共にハーフミラーはミラーとして鏡像を映し出す機能を低める。従って、このように鏡像を映し出すための外光の一部を構成する光源光を、当該表示装置付きミラー装置の一構成要素である光源により制御することは、ハーフミラー上の鏡像とハーフミラーを介して見える表示画像との相対的な見え易さを制御する上で大変有利である。従って、例えば美容関連施設、ファッション関連施設などのミラーを利用する各種施設において、当該ハーフミラーを、通常のミラーとして使用可能であると共に、所望の映像を適宜表示する表示画面として利用できる。
【００６９】
以上のように本発明の第３実施形態によれば、例えば美容室等の美容関連施設、ファッション関連施設などのミラーを利用する各種施設で、ハーフミラーを介して表示された映像とミラーに映し出された被写体の姿とを、容易にして且つ的確に見比べることが可能となる。
【００７０】
尚、本発明に係る「光源」としては、例えば電球、白熱灯、蛍光灯、ハロゲンランプ、ＬＥＤ（Ｌｉｇｈｔ  Ｅｍｉｔｔｉｎｇ  Ｄｉｏｄｅ）等でよく、更に照明効果のみならず演出効果も発揮するカラーキネティクスＬＥＤでもよい。また、カメラで被写体を撮影する場合には、複数種類の光源を一つずつ或いは複数ずつ順番に使用することで、なるべく満足の行く映像をカメラにより撮影するように構成してもよい。
【００７１】
このような光源は、例えば少なくとも部分的に、ハーフミラーの縁周囲に配置されている。より具体的には、ハーフミラーの左右の縁に沿って複数の電球等を点在させてもよいし、ハーフミラーの左右の縁に夫々沿って延びる長手状光源を設けてもよい。或いはハーフミラーの上下の縁に、このような複数の電球等や長手状光源を設けてもよく、ハーフミラーの周囲に額縁状にこのような複数の電球等や長手状光源を設けてもよい。
【００７２】
加えてハーフミラーで反射された光源光が被写体に照射されるように光源を配置することも可能である。
【００７３】
更には、光源は、カメラの例えば撮影開始及び終了用のスイッチ等に連動させ、例えば、撮影時のみ光量を明るくするような光源制御が可能となるよう構成されてもよい。これに加えて、前述した各種光源から複数の光源光が順次被写体に照射されて撮影されるよう構成されてもよい。このように構成すれば、各種光源下で撮影された複数の被写体の映像を同時に又は相前後して、同一領域又は隣接領域に並べて表示することが可能となる。即ち、各種光源下における例えば、ヘアカラーの色合い等の見え方に関して、例えば電球や蛍光灯の照明による室内での見え方、或いは太陽光に近い例えばハロゲンランプ等の照明による屋外での見え方を確認することが可能となる。尚、このような光源制御は、コンピュータ制御によって行うことも可能である。
【００７４】
本発明の第３実施形態の一態様では、前記光源は少なくとも部分的に、前記ハーフミラーの後面側に配置されており、前記ハーフミラーを介して前記被写体に向けて前記光源光を発する。
【００７５】
この態様によれば、ハーフミラーを介して光源光を発するので、ハーフミラーに正対する被写体を、光源光によってその正面側から明るくすることができる。この場合、光源光の照射角度によっては、被写体から見て鏡像が見難くなる可能性があるが、照射角度を適当に設定することでこれを回避できる。更に、例えば被写体を光源光で照らしてカメラ撮影する場合には、鏡像の見易さや見難さに拘わらず、いずれにせよハーフミラーに正対する被写体を正面側から明るくできるので、好条件での撮影が可能となる。
【００７６】
尚、前述した本発明の第１又は第２実施形態における光源に係る態様でも、このように構成してもよい。
【００７７】
第３実施形態のこの態様では、前記ディスプレイパネルは、前記表示画面内の所定領域から、前記ハーフミラーを介して前記被写体に向けて前記光源光を発することで前記光源の少なくとも一部として機能するように構成してもよい。
【００７８】
このように構成すれば、例えばプラズマディスプレイ、有機ＥＬパネルなどの自発光型のディスプレイパネルやバックライトを備えたディスプレイパネルからの光を、光源光の少なくとも一部として利用して、ハーフミラーを介して被写体を明るくできる。即ち、光源の少なくとも一部とディスプレイパネルの少なくとも一部とを共用できるので、装置構成を簡略化する上で大変有利である。
【００７９】
本発明の第３実施形態の他の態様では、前記前面側における前記外光の強度を検出する外光検出手段と、該外光検出手段による検出結果に応じて、前記光源を点灯又は消灯する光源制御手段とを更に備える。
【００８０】
この態様によれば、動作時には、例えばフォトディテクタ等を含んでなる外光検出手段によって、ハーフミラーの前面側における外光の強度を検出する。続いて、その検出結果に応じて、光源制御手段によって光源を点灯又は消灯する。従って、例えば、外光の強度が弱く、鏡像を映し出すのに暗い場合や、カメラ撮影するのには暗い場合に、光源を点灯させることが可能となる。逆に、例えば、外光の強度が強く、光源なしでも鏡像を映し出すのに十分明るい場合や、カメラ撮影するのに十分明るい場合に、光源を消灯することが可能となり、無駄な電力消費を回避できる。
【００８１】
尚、前述した本発明の第１又は第２実施形態における光源に係る態様でも、このように構成してもよい。
【００８２】
本発明の第３実施形態の他の態様では、前記被写体の存在及び前記被写体の視線のうち少なくとも一方を検出する被写体検出手段と、該被写体検出手段による検出結果に応じて、前記光源を点灯又は消灯する光源制御手段とを更に備える。
【００８３】
この態様によれば、動作時には、赤外線センサ、温度センサ、重量センサ、イメージディテクタ、パターンディテクタ等の被写体検出手段によって、被写体の存在や、被写体の視線を検出する。続いて、その検出結果に応じて、光源制御手段によって光源を点灯又は消灯する。従って、例えば、ハーフミラーの近傍に被写体が存在している場合や、被写体の視線がハーフミラーに向けられている場合に、光源を点灯させることが可能となる。逆に、例えば、ハーフミラーの近傍に被写体が存在していない場合や、被写体の視線がハーフミラーに向けられていない場合に、光源を消灯することが可能となり、無駄な電力消費を回避できる。
【００８４】
更に、光源の点灯や消灯と連動させて、例えば、人を感知し、ミラーの前に座る又は立つのに応じて、映像を表示することも可能である。
【００８５】
尚、前述した本発明の第１又は第２実施形態における光源に係る態様でも、このように構成してもよい。
【００８６】
本発明の表示装置付きミラー装置の第４実施形態は、表示光を発する表示画面を有するパネル状のディスプレイパネルと、半透過反射面を有し、該半透過反射面の後面の少なくとも一部が前記表示画面に対向配置されており、前記表示光が前記後面側から前記半透過反射面の前面側に透過すると共に前記前面側からの外光を前記前面で反射することでミラーとして機能するハーフミラーと、前記前面側に位置する被写体の存在及び前記被写体の視線のうち少なくとも一方を検出する被写体検出手段と、前記被写体検出手段による検出結果に応じて、前記ディスプレイパネルを表示開始又は表示終了する表示制御手段とを備える。
【００８７】
本発明の第４実施形態によれば、ハーフミラーは、前面側からの外光を前面で反射することで、通常のミラーとして機能する。他方、ディスプレイパネルが映像を表示すると、その表示画面から発せられた表示光は、ハーフミラーの後面側から前面側へと半透過反射面を透過する。従って、表示画像がハーフミラーにおけるディスプレイパネルと対向する領域に表示されることになる。これらの結果、ハーフミラー上に映し出された被写体の鏡像とハーフミラーを介して見える表示画像との両者を、同時に又は相前後して同一領域又は隣接領域に表示することが可能となる。
【００８８】
ここで特に、赤外線センサ等の被写体検出手段によって、被写体の存在や、被写体の視線を検出する。続いて、その検出結果に応じて、表示制御手段によってディスプレイパネルを表示開始又は表示終了する。従って、例えば、ハーフミラーの近傍に被写体が存在している場合や、被写体の視線がハーフミラーに向けられている場合に、ディスプレイパネルを表示開始できる。逆に、例えば、ハーフミラーの近傍に被写体が存在していない場合や、被写体の視線がハーフミラーに向けられていない場合に、ディスプレイパネルを表示終了でき、無駄な電力消費を回避できる。従って、例えば美容関連施設、ファッション関連施設などのミラーを利用する各種施設において、当該ハーフミラーを、通常のミラーとして使用可能であると共に、所望の映像を適宜表示する表示画面として利用できる。
【００８９】
以上のように本発明の第４実施形態によれば、例えば美容室等の美容関連施設、ファッション関連施設などのミラーを利用する各種施設で、ハーフミラーを介して表示された映像とミラーに映し出された被写体の姿とを、容易にして且つ的確に見比べることが可能となる。
【００９０】
尚、第４実施形態においても、ディスプレイパネルが表示動作を行っていない場合に、被写体に向けて光源光を発する光源を点灯させるように構成してもよい。例えば、光源の消灯とディスプレイパネルの表示開始とを連動させ、光源の点灯と前記ディスプレイパネルの表示終了とを連動させるように構成してもよい。
【００９１】
本発明の第４実施形態の一態様では、前記表示制御手段は、前記被写体の存在及び視線のうち少なくとも一方が検出されると、前記ハーフミラーの一部を介して前記表示光を発すると共に前記ハーフミラーの一部を前記ミラーとして機能させるように前記ディスプレイパネルを制御し、前記被写体の存在及び視線のうち少なくとも一方が検出されないと、前記ハーフミラーの全部を介して前記表示光を発するか又は前記ハーフミラーの全部を前記ミラーとして機能させるように前記ディスプレイパネルを制御する。
【００９２】
この態様によれば、被写体検出手段によって被写体の存在や視線が検出されると、表示制御手段による制御下で、ディスプレイパネルは、ハーフミラーの一部を介して表示光を発すると共にハーフミラーの一部をミラーとして機能させる。他方で、被写体の存在や視線が検出されないと、ディスプレイパネルは、ハーフミラーの全部を介して表示光を発するか又はハーフミラーの全部をミラーとして機能させる。従って、例えば、ハーフミラーの近傍に被写体が存在している場合や、被写体の視線がハーフミラーに向けられている場合に、被写体は、ハーフミラー上の鏡像とハーフミラーを介して見える表示画像との両者を相前後して又は同時に見ることが可能となる。逆に、例えば、ハーフミラーの近傍に被写体が存在していない場合や、被写体の視線がハーフミラーに向けられていない場合に、ハーフミラーはミラーとして機能することなく、ディスプレイパネルによる画像表示画がハーフミラーの全面について行われるか、又は、ハーフミラーは全面的にミラーとして機能する。即ち、被写体が存在しないか又は見ていなければ、ハーフミラーはミラーとしてのみ又はディスプレイの画面としてのみ機能し、両者を混在させるような複雑な各種表示制御は行わないで済む。
【００９３】
本発明の表示装置付きミラー装置の第５実施形態は、表示光を発する表示画面を有するパネル状のディスプレイパネルと、半透過反射面を有し、該半透過反射面の後面の少なくとも一部が前記表示画面に対向配置されており、前記表示光が前記後面側から前記半透過反射面の前面側に透過すると共に前記前面側からの外光を前記前面で反射することでミラーとして機能するハーフミラーと、前記前面側における前記外光の強度を検出する外光検出手段と、前記外光検出手段による検出結果に応じて、前記ディスプレイパネルを表示開始又は表示終了する表示制御手段とを備える。
【００９４】
本発明の第５実施形態によれば、ハーフミラーは、前面側からの外光を前面で反射することで、通常のミラーとして機能する。他方、ディスプレイパネルが映像を表示すると、その表示画面から発せられた表示光は、ハーフミラーの後面側から前面側へと半透過反射面を透過する。従って、表示画像がハーフミラーにおけるディスプレイパネルと対向する領域に表示されることになる。これらの結果、ハーフミラー上に映し出された被写体の鏡像とハーフミラーを介して見える表示画像との両者を、同時に又は相前後して同一領域又は隣接領域に表示することが可能となる。
【００９５】
ここで特に、フォトディテクタ等の外光検出手段によって、ハーフミラーの前面側における外光の強度を検出する。続いて、その検出結果に応じて、表示制御手段によってディスプレイパネルを表示開始又は表示終了する。従って、例えば、外光の強度が弱く、鏡像を映し出すのに暗い場合に、ディスプレイパネルを表示開始できる。逆に、例えば、外光の強度が強く、光源なしでも鏡像を映し出すのに十分明るい場合に、ディスプレイパネルを表示終了でき、無駄な電力消費を回避できる。例えば、外光が入り込みやすい窓際や、窓側のショーウィンドウ等にディスプレイパネルを設置する場合に有効である。従って、例えば美容関連施設、ファッション関連施設などのミラーを利用する各種施設において、当該ハーフミラーを、通常のミラーとして使用可能であると共に、所望の映像を適宜表示する表示画面として利用できる。
【００９６】
以上のように本発明の第５実施形態によれば、例えば美容室等の美容関連施設、ファッション関連施設などのミラーを利用する各種施設で、ハーフミラーを介して表示された映像とミラーに映し出された被写体の姿とを、容易にして且つ的確に見比べることが可能となる。
【００９７】
尚、第５実施形態において、被写体を照らす光源が備えられている場合には、例えば、光源の消灯とディスプレイパネルの表示開始とを連動させ、光源の点灯と前記ディスプレイパネルの表示終了とを連動させるように構成してもよい。
【００９８】
本発明の表示装置付きミラー装置の第６実施形態は、表示光を発する表示画面を有するパネル状のディスプレイパネルと、半透過反射面を有し、該半透過反射面の後面の少なくとも一部が前記表示画面に対向配置されており、前記表示光が前記後面側から前記半透過反射面の前面側に透過すると共に前記前面側からの外光を前記前面で反射することでミラーとして機能するハーフミラーと、前記ハーフミラーの前面側に配置されていると共に前記ハーフミラーを介して前記表示画面に表示された映像における座標位置を指示可能なタッチパネルとを備える。
【００９９】
本発明の第６実施形態によれば、ハーフミラーは、前面側からの外光を前面で反射することで、通常のミラーとして機能する。他方、ディスプレイパネルが映像を表示すると、その表示画面から発せられた表示光は、ハーフミラーの後面側から前面側へと半透過反射面を透過する。従って、表示画像がハーフミラーにおけるディスプレイパネルと対向する領域に表示されることになる。これらの結果、ハーフミラー上に映し出された被写体の鏡像とハーフミラーを介して見える表示画像との両者を、同時に又は相前後して同一領域又は隣接領域に表示することが可能となる。
【０１００】
ここで特に、ハーフミラーの前面側に配置されたタッチパネルを操作することで、ハーフミラーを介して見える表示画像における座標位置を指示できるので、ディスプレイパネルに各種操作ボタンやキー、カーソル等を表示することで、各種の入力操作をハーフミラーに映し出された表示画面上で実行可能となる。即ち、当該ハーフミラーとは別に用意されたキーボードを操作する必要がなくなる。従って、例えば美容関連施設、ファッション関連施設などのミラーを利用する各種施設において、当該ハーフミラーを、通常のミラーとして使用可能であると共に、タッチパネル操作に応じて所望の映像を適宜表示する表示画面として利用できる。
【０１０１】
以上のように本発明の第６実施形態によれば、例えば美容室等の美容関連施設、ファッション関連施設などのミラーを利用する各種施設で、ハーフミラーを介して表示された映像とミラーに映し出された被写体の姿とを、容易にして且つ的確に見比べることが可能となり、しかも、ハーフミラーをコンソールとして機能させることが可能となり、大変便利である。
【０１０２】
本発明の第６実施形態の一態様では、前記タッチパネルは、光学的に前記座標位置を検出する非接触型タッチパネルを含んでなる。
【０１０３】
この態様によれば、非接触型のタッチパネルを操作することで、各種の入力操作を、ハーフミラーに映し出された表示画面上で実行可能となる。尚、本願に係る「タッチパネル」とは、例えば伝統的な圧力変化、電圧変化などの検出を利用した、実際に専用検出面に指等で触れる形式である接触型のタッチパネル、即ち狭義のタッチパネルの他に、このように非接触型のタッチパネル或いは光学式走査センサ等を含む広義のタッチパネルを意味する。ここに「非接触型のタッチパネル」とは、例えば、空気中に位置すると共に検出用の光が走査される検出面内における指等の位置を光学的に検出可能なタッチパネルであり、検出する光は、可視光でもよいし、赤外線や紫外線等の非可視光でもよい。特に非可視光を利用すれば、鏡像や表示画像の妨げとはならないので有利である。従って、この態様によれば、ハーフミラーに接触する必要が無くなり、ミラーや表示画面として機能するハーフミラーの前面に指紋が付くことがなくなり大変有利である。更に、透過率を落とすような或いは外光反射によりハーフミラーや表示画面を見難くしてしまうような部材（基材）を、ハーフミラーの前面に取り付ける必要も無くなり、ハーフミラー上における鏡像やハーフミラーを介して見える表示画像の質低下を防止できる。
【０１０４】
但し、非接触型のタッチパネルに代えて、接触型のタッチパネルを用いても、指紋が付かない等の利益は多少損なわれるものの、相応の効果が得られる。
【０１０５】
他方、パソコン等をディスプレイパネルに接続することによって、タブレット、マウス、キーボード、テンキースイッチなどのパソコン等の入力装置を利用して、座標入力、アイコン操作、カーソル移動等を、ハーフミラーを介して表示される表示画面上で行うことも可能である。例えば、タブレットを用いる場合は座標検出用のペンを用いることで操作性はより向上する。
【０１０６】
本発明の表示装置付きミラー装置の第７実施形態は、表示光を発する表示画面を有するパネル状のディスプレイパネルと、半透過反射面を有し、該半透過反射面の後面の少なくとも一部が前記表示画面に対向配置されており、前記表示光が前記後面側から前記半透過反射面の前面側に透過すると共に前記前面側からの外光を前記前面で反射することでミラーとして機能するハーフミラーと、前記ハーフミラーと前記ディスプレイパネルとの間に配置されており、透過率が可変である光学シャッターとを備える。
【０１０７】
本発明の第８実施形態によれば、ハーフミラーは、前面側からの外光を前面で反射することで、通常のミラーとして機能する。他方、ディスプレイパネルが映像を表示すると、その表示画面から発せられた表示光は、ハーフミラーの後面側から前面側へと半透過反射面を透過する。従って、表示画像がハーフミラーにおけるディスプレイパネルと対向する領域に表示されることになる。これらの結果、ハーフミラー上に映し出された被写体の鏡像とハーフミラーを介して見える表示画像との両者を、同時に又は相前後して同一領域又は隣接領域に表示することが可能となる。
【０１０８】
ここで特に、ハーフミラーとディスプレイパネルとの間に配置された光学シャッターは、透過率が可変であるので、ハーフミラーがミラーとして機能すべき場合に、その透過率を減少させることで、ハーフミラーの裏側が暗くなり、鏡像をより鮮明に映し出すことが可能となる。逆に、ディスプレイパネルの表示画像を透かして見せるべき場合に、その透過率を増大させることで、光学シャッター及びハーフミラーを介して表示画像をより鮮明に映し出すことが可能となる。尚、このような透過率が可変である光学シャッターとしては、例えば、電圧印加により透過率が可変とされる電気光学式のものを採用可能である。より具体的には、例えば、分散型液晶シートを２枚のガラスの間にラミネートしたもので、電圧をオン・オフすることによって液晶の配列をコントロールし、ガラスの透過性を瞬時に調整可能である、公知のガラス製品を利用してもよい。但し、光学シャッターの方式は任意である。
【０１０９】
以上のように本発明の第７実施形態によれば、例えば美容室等の美容関連施設、ファッション関連施設などのミラーを利用する各種施設で、ハーフミラーを介して表示された映像とミラーに映し出された被写体の姿とを、容易にして且つ的確に見比べることが可能となる。
【０１１０】
本発明の表示装置付きミラー装置の第８実施形態は、表示光を発する表示画面を有するパネル状のディスプレイパネルと、半透過反射面を有し、該半透過反射面の後面の少なくとも一部が前記表示画面に対向配置されており、前記表示光が前記後面側から前記半透過反射面の前面側に透過すると共に前記前面側からの外光を前記前面で反射することでミラーとして機能するハーフミラーとを備えており、前記ハーフミラーは、反射率及び透過率が可変である。
【０１１１】
本発明の第８実施形態によれば、ハーフミラーは、前面側からの外光を前面で反射することで、通常のミラーとして機能する。他方、ディスプレイパネルが映像を表示すると、その表示画面から発せられた表示光は、ハーフミラーの後面側から前面側へと半透過反射面を透過する。従って、表示画像がハーフミラーにおけるディスプレイパネルと対向する領域に表示されることになる。これらの結果、ハーフミラー上に映し出された被写体の鏡像とハーフミラーを介して見える表示画像との両者を、同時に又は相前後して同一領域又は隣接領域に表示することが可能となる。
【０１１２】
ここで特に、ハーフミラーは、反射率及び透過率が可変であるので、ミラーとして機能すべき場合に、その反射率を増大させることで（即ち、透過率を減少させることで）、鏡像をより鮮明に映し出すことが可能となる。逆に、ディスプレイパネルの表示画像を透かして見せるべき場合に、その透過率を増大させることで（即ち、反射率を減少させることで）、表示画像をより鮮明に映し出すことが可能となる。尚、このような反射率及び透過率が可変であるハーフミラーとしては、例えば、電圧印加により反射率及び透過率が可変とされる電気光学式のものを採用可能であるが、その方式は任意である。
【０１１３】
以上のように本発明の第８実施形態によれば、例えば美容室等の美容関連施設、ファッション関連施設などのミラーを利用する各種施設で、ハーフミラーを介して表示された映像とミラーに映し出された被写体の姿とを、容易にして且つ的確に見比べることが可能となる。
【０１１４】
本発明の表示装置付きミラー装置の第９実施形態は、表示光を発する表示画面を有するパネル状のディスプレイパネルと、半透過反射面を有し、該半透過反射面の後面の少なくとも一部が前記表示画面に対向配置されており、前記表示光が前記後面側から前記半透過反射面の前面側に透過すると共に前記前面側からの外光を前記前面で反射することでミラーとして機能するハーフミラーとを備えており、前記表示画面は前記半透過反射面よりも小さく、前記ディスプレイパネルは、前記半透過反射面の一部のみの後面側に配置されており、（ｉ）前記前面側から前記半透過反射面を介しての前記表示画面と（ｉｉ）前記前面のうち前記ミラーとして機能する部分との両者を同時に又は相前後して視察可能に構成されている。
【０１１５】
本発明の第９実施形態によれば、ハーフミラーは、前面側からの外光を前面で反射することで、通常のミラーとして機能する。他方、ディスプレイパネルが映像を表示すると、その表示画面から発せられた表示光は、ハーフミラーの後面側から前面側へと半透過反射面を透過する。従って、表示画像がハーフミラーにおけるディスプレイパネルと対向する領域に表示されることになる。これらの結果、ハーフミラー上に映し出された被写体の鏡像とハーフミラーを介して見える表示画像との両者を表示することが可能となる。
【０１１６】
ここで特に、ディスプレイパネルは、半透過反射面の一部のみの後面側に配置されており、前面側から半透過反射面を介しての表示画面と、前面のうちミラーとして機能する部分とは、異なる領域に、例えば横並びに又は縦並びに配置されている。そして、半透過反射面を介しての表示画面とミラーとして機能する部分との両者は、同時に又は相前後して視察される。
【０１１７】
以上のように本発明の第９実施形態によれば、例えば美容室等の美容関連施設、ファッション関連施設などのミラーを利用する各種施設で、ハーフミラーを介して表示された映像とミラーに映し出された被写体の姿とを、容易にして且つ的確に見比べることが可能となる。
【０１１８】
尚、このように表示画面が半透過反射面よりも小さいディスプレイパネルは、ハーフミラーの後面側において、半透過反射面に沿った方向に移動可能であるように構成してもよい。或いは、ハーフミラーに対して固定されていてもよい。
【０１１９】
加えて、本発明の表示装置付きミラー装置の他の実施形態は、表示光を発する表示画面を有するパネル状のディスプレイパネルと、半透過反射面及び反射面を有し、前記半透過反射面の後面の少なくとも一部が前記表示画面に対向配置されており、前記表示光が前記後面側から前記半透過反射面の前面側に透過すると共に前記前面側からの外光を前記前面及び前記反射面で反射することでミラーとして機能するハーフミラーとを備える。このように構成すれば、ハーフミラーは、前面側からの外光を反射面及び半透過反射面で反射することで、その全体が通常のミラーとして機能する。他方、ディスプレイパネルが映像を表示すると、その表示画面から発せられた表示光は、ハーフミラーの後面側から前面側へと半透過反射面を透過する。従って、表示画像がハーフミラーにおける半透過反射面の領域内に限って表示されることになる。これらの結果、ハーフミラー上に映し出された被写体の鏡像とハーフミラーを介して見える表示画像との両者を表示することが可能となる。特に、ハーフミラーを介して表示画像が見える可能性の無い反射面については、文字通り、半透過反射面ではなく、通常のミラーと同様の反射面であるので、この部分における鏡像を非常に鮮明なものにできる。
【０１２０】
本発明の表示装置付きミラー装置の各実施形態の他の態様では、前記ディスプレイパネルは、自発光型ディスプレイパネルからなる。
【０１２１】
この態様によれば、ハーフミラーを介して映像を映し出すディスプレイパネルは、自発光型ディスプレイパネルからなるので、その強力な表示光によって、鮮明な映像をハーフミラーを介して表示させることが可能となる。例えば、自発光型ディスプレイパネルとしては、プラズマディスプレイパネル、有機ＥＬディスプレイパネル等が好ましい。このように構成すれば、既存の自発光型パネルを採用することで十分に明るい表示画面を得ることができ、これによりハーフミラーを介して表示画面が良好に視察可能となる。
【０１２２】
但し、液晶ディスプレイパネル等のバックライト型や反射型のディスプレイパネルであっても相応に効果が得られる。この場合には、バックライトや表示光となる外光を、通常よりも強めに設定するとよい。
【０１２３】
更に、上述した本願の各種発明やそれらの各種態様において、ディスプレイパネルに代えて、ＣＲＴ等の非パネル形式のディスプレイから構成することも可能であり、その場合にも、当該表示装置付きミラー装置自体が厚くなることによって、奥行の小さい場所に設置できることやミラースタンドとして構築できることなどの本願発明独自の利益は損なわれるものの、それ以外の独自の効果については、なお同様に或いは相応に得られる。
【０１２４】
本実施形態におけるこのような作用、及び他の利得は次に説明する実施例から更に明らかにされる。
【０１２５】
【実施例】
本発明の実施例について図面を参照して説明する。以下の各実施例において、本発明に係る表示装置付きミラー装置は、美容室等の美容関連施設に設置されて髪型相談等に適用されるものとして説明を行う。
【０１２６】
（第１実施例）
本発明の第１実施例を図１から図３を参照して説明する。
【０１２７】
先ず第１実施例の構成について図１及び図２を参照して説明する。ここに、図１は、第１実施例に係る表示装置付きミラー装置の全体構成を示す斜視図であり、図２はその詳細構成を示すブロック図である。
【０１２８】
図１に示すように、本実施例に係る表示装置付きミラー装置１００は、ハーフミラー１０１、ディスプレイパネル１０２、カメラ１１０、及びコンピュータ３００を備えて構成されている。
【０１２９】
ハーフミラー１０１は、例えば、プラスチックやガラス等の平板状透明基材の上に、反射材として例えば、銀やアルミニウムなどの金属膜が真空中での蒸着等により形成され、その際に、完全に光を反射するミラーよりも反射材の蒸着量が少なく調節されることによって、光の一部が透過できる半透過反射面１０１Ｓを備えて構成されている。即ち、薄く又は部分的に形成された反射材によって、半透過反射面１０１Ｓの前面側からの光は部分的に反射され、一方、反射材の隙間を介して、後面側からの光は半透過反射面１０１Ｓを介して部分的に前面側へ透過される。尚、このような半透過反射面１０１Ｓは、多層膜からなってもよいし単一層膜からなってもよく、その製造方法も公知の各種方法を採用可能である。
【０１３０】
従って、ハーフミラー１０１は、例えば、前面側からの外光が強い状態においては通常のミラーとして機能して、当該ハーフミラー１０１の前面側に位置し、本発明に係る「被写体」の一例である顧客２００に対して顧客２００自身の姿、即ち、鏡像を見せることができ、逆に、例えば、当該ハーフミラー１０１の後面側に配置された、後で詳述するディスプレイパネル１０２から「表示光」が発せられる状態においては、顧客２００に対して当該ハーフミラー１０１を介して「表示光」の一例たる映像を見せることができる。
【０１３１】
ディスプレイパネル１０２は、表示画面１０３を有する既存のパネル状のディスプレイであり、好ましくは、例えば、プラズマディスプレイパネル、有機ＥＬディスプレイパネル等の自発光型ディスプレイパネルからなる。そして、ディスプレイパネル１０２は、図１に示すように、スタンド１０４に支持されて設置されている。尚、例えば液晶ディスプレイパネル等のバックライト型や反射型のディスプレイパネルが用いられてもよく、この場合好ましくは、ハーフミラー１０１の後面側からの光となるバックライトや表示光は、通常より強めに設定される。
【０１３２】
ここで、図１及び図２に示すように、ハーフミラー１０１の後面はディスプレイパネル１０２の表示画面１０３に対向配置されている。従って、ディスプレイパネル１０２が動作状態となり、表示画面１０３から本発明に係る「表示光」が発せられる状態、即ち、表示画面１０３に映像が表示される状態において、本発明に係る表示装置付きミラー装置１００は、顧客２００に対して、上述したような光透過機能を有するハーフミラー１０１を介して、その後面側の映像を見せることが可能となっている。
【０１３３】
カメラ１１０は、例えば、ビデオカメラ等の動画を撮影するカメラ、或いは例えば、デジタルスチルカメラ等の静止画を撮影するカメラであり、図１及び図２に示すように、ハーフミラー１０１の前面側に配置されている。ここで特に、カメラ１１０は、上述したような光反射機能を有するハーフミラー１０１によって反射されることによって映し出された、本発明に係る「被写体」の一例である顧客２００の姿、即ち顧客２００の鏡像を撮影する。
【０１３４】
コンピュータ３００は、例えば、ＣＰＵ等を含んでなる制御部３０２と、例えば光ディスク装置、半導体メモリ、ハードディスク装置等の記憶装置３０４と、例えばキーボード、マウス、タッチパネル、タブレット等からなる入力部３０６とを備える。制御部３０２は、記憶装置３０４に予め記憶されたコンピュータプログラム若しくは、記憶装置３０４に装着される記録媒体を介して、以下に説明するようにコンピュータ３００における各種動作を制御する。
【０１３５】
制御部３０２は、図２に示すように、本発明に係る「表示制御手段」の一例を構成する表示制御部３０２ａと本発明に係る「合成手段」の一例を構成する画像処理部３０２ｂとを含んで構成されている。そして、制御部３０２は、カメラ１１０に接続されており、該制御部３０２には、カメラ１１０で撮影された映像信号が入力される。更に、制御部３０２のうち表示制御部３０２ａは、ディスプレイパネル１０２に接続されている。表示制御手段３０２ａは、後で詳述する撮影映像、画像処理部３０２ｂによって合成された合成映像、又は記録装置３０４によって記録されている記録映像を含む映像信号をディスプレイパネル１０２へ転送し、ディスプレイパネル１０２を、映像を表示させるよう制御する。
【０１３６】
記録装置３０４は、事前にカメラ１１０によって撮影された映像、及び、例えばヘアーカタログ等の映像、並びに、これらが画像処理部３０２ａによって合成された合成映像を、映像データとして記録する。このようなヘアーカタログ等の映像データとして、コンピュータグラフィックスにより生成されたものが記録されていてもよい。
【０１３７】
以上のように構成されることにより、本実施例では、カメラ１１０によって撮影された顧客２００の姿が、ディスプレイパネル１０２の表示画面１０３に映像として表示される。このような撮影された映像に関する「表示制御手段」、「合成手段」、及び「記録手段」を含む動作については、以下において詳述する。
【０１３８】
次に、本発明に係る表示装置付きミラー装置１００の動作について、図２に加えて図３を参照して説明する。ここに、図３は、本発明の表示装置付きミラー装置１００の動作を示すフローチャートである。尚、ここでは、本発明の表示装置付きミラー装置が設置される美容関連施設での顧客対応として、ヘアーカットの前後又は途中に行われる髪型相談の場面を例にとり、顧客及び美容師が行う行動や操作と共に説明する。
【０１３９】
図３において先ず、顧客２００が表示装置付きミラー装置１００の前面側に立つか或いは設置された椅子等に座ると、半透過反射面１０１Ｓには、そのミラーとしての機能により顧客２００の姿が映る（ステップＳ１１）。そして、髪型相談等の内容に応じて顧客２００又は美容師によって各種映像の表示が希望される場合（ステップＳ１２：Ｙｅｓ）、図２に示す入力部３０６を介して所望の映像の選択及び入力指示が行われる（ステップＳ１３）。尚、このような入力部を用いた選択及び入力指示は、美容師からの助言を基に顧客によって行われてもよく、或いは、美容師によって行われてもよい。
【０１４０】
この際、顧客の希望か又は美容師の勧めにより、ヘアーカタログ等の映像が選択されると（ステップＳ１４：Ｙｅｓ）、図２に示す「記録手段」の一例たる記録装置３０４に記録されているヘアーカタログ等の映像データが、「表示制御手段」の一例たる表示制御部３０２ａによって呼び出される（ステップＳ１５）。続いて、表示制御部３０２ａによって、映像データが映像信号としてディスプレイパネル１０２へ転送され、且つ、ディスプレイパネル１０２の映像出力が「ＯＮ」状態とされて（ステップＳ２４）、表示画面１０３に表示される（ステップＳ２５）。このとき、映像としての表示光が、ハーフミラー１０１の前面側へ透過される。従って、顧客２００は表示されたヘアーカタログの映像を見ることができる。即ち、顧客２００は、ミラーとして機能しているハーフミラー１０１上に映った自分の姿を見ている状態から、殆ど視点を変えることなく、表示される映像を見ることが可能となっている。
【０１４１】
表示映像の選択において（ステップＳ１３）、顧客２００の希望か又は美容師の勧めにより、以前にカメラ１１０又は他のカメラによって撮影された映像が選択されると（ステップＳ１６：Ｙｅｓ）、ヘアーカタログ等の場合と同様に、記録装置３０４に記録されているその映像データが、表示制御部３０２ａによって呼び出される（ステップＳ１７）。そして、表示制御部３０２ａによって、映像データが映像信号としてディスプレイパネル１０２へ転送され、且つ、ディスプレイパネル１０２の映像出力が「ＯＮ」状態とされて（ステップＳ２４）、表示画面１０３に映像が表示される（ステップＳ２５）。従って、顧客２００は、以前に撮影されて記録された自分の映像、即ち、例えば、以前にヘアーカット等を行ったときの仕上がりの映像を基に、髪型相談を行なうことができる。
【０１４２】
表示映像の選択において（ステップＳ１３）、顧客２００の希望か又は美容師の勧めにより、カメラ１１０によってリアルタイムに撮影される映像が選択されると（ステップＳ２２：Ｙｅｓ）、自動的に又は美容師の手動によりカメラ１１０が「ＯＮ」状態とされて撮影が開始される（ステップＳ２３）。尚、カメラ１１０は、本フローチャートの「ＳＴＡＲＴ」時点より常に「ＯＮ」状態、即ち、撮影中の状態とされていてもよい。
【０１４３】
ここで、カメラ１１０は、ミラーとして機能するハーフミラー１０１の半透過反射面１０１Ｓ上に映った顧客２００の姿、即ち鏡像を撮影する。ここで、撮影された映像の映像信号はコンピュータ３００へ入力される。続いて、「表示制御手段」の一例たる表示制御部３０２ａによって、映像信号がディスプレイパネル１０２へ転送され、且つ、ディスプレイパネル１０２の映像出力が「ＯＮ」状態とされて（ステップＳ２４）、表示画面１０３に映像が表示される（ステップＳ２５）。従って、顧客２００は、例えば、ヘアーカットの途中又はヘアーカット後の仕上がりの状態を、カメラ１１０によって撮影された映像としてみることが可能となる。
【０１４４】
本実施例では好ましくは、上述の撮影中の状態（ステップＳ２３）において同時に、コンピュータ３００に入力される映像信号が記録装置３０４に転送されることによって、例えば、ヘアーカット後の仕上がりの状態等の撮影された顧客２００の姿が、記録装置３０４に映像データとして記録される。このように構成することよって、顧客２００は、例えば次回の来店時等に、上述のような以前に撮影された映像データを表示する過程（ステップＳ１７〜Ｓ２４）を辿って、再度その映像データを基にした髪形相談を行うことができる。
【０１４５】
続いて、以上のような各種映像が表示されている状態において、顧客２００又は美容師によって、他の映像の表示要求指示が、入力部３０６を介して入力されると（ステップＳ２６：Ｙｅｓ）、再び表示映像の選択指示を促す。
【０１４６】
或いは、以上のような各種映像が表示されている状態において、顧客２００又は美容師によって、ミラー表示の要求指示が、入力部３０６を介して入力されると（ステップＳ２７：Ｙｅｓ）、表示制御部３０２ａによって、ディスプレイパネル１０２の映像出力が「ＯＦＦ」状態とされる。このとき、ハーフミラー１０１は、その後面側からの表示光が消えるため再びミラーとして機能し、該ハーフミラー１０１の前面には顧客２００の姿が映る（ステップＳ１１）。或いは、顧客２００又は美容師によって、他の映像表示が要求される場合は（ステップＳ２６：Ｎｏ）、再び所望の表示映像が選択指示される（ステップＳ１３）。
【０１４７】
以上、本実施例の表示装置付きミラー装置１００において、上述のような動作が、図３に示す動作フローに基づいて繰り返されることによって、映像表示及びミラー表示が適宜切り替えられる。従って、顧客２００又は美容師は、ミラーとして機能するハーフミラー１０１の半透過反射面１０１Ｓに映った顧客２００の姿と、表示画面１０３に表示される各種表示映像とを、相前後して見ることで的確に見比べることが可能となっている。
【０１４８】
尚、図３の表示映像選択指示（ステップＳ１３）において、カタログ映像、以前の撮影映像、及びリアルタイム映像のうち２つ以上、若しくは全てが選択され、表示画面１０３上に分割レイアウトによって同時に表示するような構成とすることも可能である。或いは、映像の表示領域と非表示領域とを表示画面１０３上に同時に有するような構成とすることも可能である。このような構成は、特に、例えば、プラズマディスプレイパネル等の大型ディスプレイを使用する場合に効果的である。
【０１４９】
また、上述のように、本実施例の表示装置付きミラー装置１００では、通常の美容関連施設に設置されているミラーに代わるものとしてハーフミラー１０１を備え、且つ、ディスプレイパネル１０２はその背面側に備えて構成されている。従って、美容関連施設内の通常の美容行為が行われるスペースに、例えば、カウンセリング用に別個にディスプレイ等を備えたパソコン機器等が配置されるような場合と比較して、非常に有効にスペースを活用することが可能となっている。
【０１５０】
尚、本実施例に係る表示装置付きミラー装置１００は、図１に示したような、スタンド式に限られるものではなく、例えば、美容関連施設内の壁一面にミラーが備えられており、その一部が上述のような半透過反射面１０１Ｓとして備えられている構成としてもよい。
【０１５１】
（第２実施例）
本発明の第２実施例を、図４を参照して説明する。ここに図４は、第２実施例における表示装置付きミラー装置の全体構成を示す斜視図である。尚、第２実施例において、第１実施例と同じ構成要素については、同じ符号を付しそれらの説明は適宜省略する。
【０１５２】
また図１及び図４に示したコンピュータ３００の内部構成については第１及び第２実施例で共通であるので、第２実施例に係るコンピュータ３００の説明については図２を適宜参照しながら行うものとする。
【０１５３】
第２実施例は、カメラに係る構成及び動作並びにコンピュータにおけるカメラで撮影された画像データの処理動作が第１実施例の場合と異なり、その他の構成及び動作については図１から図３に示した第１実施例の場合と同様である。
【０１５４】
即ち図４に示すように、第２実施例の表示装置付きミラー装置１００ｂにおいては、第１実施例におけるカメラ１１０に代えて、２つのカメラ１２０が、半透過反射面１０１Ｓの縁周囲に設けられている。より具体的には、ハーフミラー１０１を構成する基板上において、その一部に上述の半透過反射面１０１Ｓが規定され、同じ基板上における半透過反射面１０１Ｓが規定されていない部分、即ち、ハーフミラー１０１の左右の縁部に、２つのカメラ１２０が設けられている。このようなカメラ１２０としては、例えば、ＣＣＤカメラ等の小型カメラが適用されており、ハーフミラー１０１の基板上における僅かなスペースに容易に配置することが可能となっている。
【０１５５】
以上のような構成によって、カメラ１２０は、被写体たる顧客２００の姿を、該顧客２００の前面側から直接撮影することとなる。よって、ミラーとして機能する半透過反射面１０１Ｓに映った顧客２００の姿（即ち、鏡像）を撮影する第１実施例のカメラ１１０と比較して、左右の反転した顧客２００の姿が撮影される。即ち、例えば、他人が顧客２００を直接見た場合と同じ顧客２００の姿が撮影される。
【０１５６】
そこで第２実施例においては特に、図２に内部構成が示されるコンピュータ３００において、画像処理部３０２ｂは、上述の２つのカメラ１２０によって撮影された二つの映像に基づいて、被写体たる顧客２００を正面から撮影した場合に得られる筈の擬似映像を合成する「合成手段」としても機能する。
【０１５７】
より具体的には、先ず、２つのカメラ１２０によって撮影された映像の映像信号は、制御部３０２（図２参照）に入力される。即ち、顧客２００の姿を、左前面側及び右前面側の両方から撮影された顧客２００の姿の映像が、２つの映像信号として制御部３０２に入力される。続いて、この２つの映像信号に基づいて、第２実施例における「合成手段」の一例を構成する画像処理部３０２ｂ（図２参照）によって「合成映像」が作成される。即ち、画像処理部３０２ｂは、顧客２００を左右の両前面側から撮影するがために、互いに方向が異なっている２つの映像に基づいて、顧客２００が正面を向いた擬似映像に合成する。そして、表示制御部３０２ａ（図２参照）は、このように合成された擬似映像を、映像信号としてディスプレイパネル１０２へ転送して、表示画面１０３に表示する。
【０１５８】
以上のような「合成手段」によって、カメラが実際には顧客の正面に設置されていなくても、正面から撮影したかのような映像を表示することができる。このことが、顧客２００の前面側であって、且つ、顧客２００がハーフミラー１０１の半透過反射面１０１Ｓ又は表示画面１０３を見るときの妨げとならない箇所に、カメラを設置することを可能とし、第１実施例と比較して施設内の省スペース化を図ることが可能となっている。更には、例えば、カメラをハーフミラー１０１の縁上部又は下部に設置する場合と比較して、顧客２００の視線が真正面に向かっている自然な状態で撮影及び表示することが可能となっている。
【０１５９】
第２実施例では好ましくは、コンピュータ３００が備える表示制御部３０２ａ（図２参照）は、上述の合成された擬似映像と、それを左右反転した反転映像とを切替え可能に表示するように、ディスプレイパネル１０２を制御する。即ち、顧客を正面から直接見るのと同じ映像に加えて、その反転映像として、ミラーに映った顧客２００の姿と同じ映像を表示することができる。従って、顧客２００は、カメラ１２０によって正面から撮影された映像と、ミラーとして機能する半透過反射面１０１Ｓに映った自分の姿とを、同じように、即ち、両者が互いに反転写像の関係でない状態で見比べることが可能となっている。
【０１６０】
尚、本実施例のカメラ１２０は、例えば、可動式のアーム等に取り付けられ、ハーフミラー１０１の半透過反射面１０１Ｓに沿った方向や、半透過反射面１０１Ｓの法線方向に移動可能となるよう構成されてもよい。このように構成すれば、撮影時にのみ、例えば図４に例示した位置やハーフミラー１０１の中央に対向する位置など、カメラ１２０を撮影に適した位置に移動させることが可能となり、非撮影時には、鏡像や表示画像の邪魔とならないような位置やディスプレイパネル１０２背後の見えない位置へ退避させることが可能となる。
【０１６１】
（第３実施例）
次に、本発明の第３実施例を、図５及び図６を参照して説明する。ここに、図５は、第３実施例の表示装置付きミラー装置の動作示すフローチャートであり、図６は、第３実施例に係る「合成手段」の動作の詳細を示すフローチャートである。また、第３実施例の装置構成は、図１から図４を参照して説明した第１又は第２実施例と同様である。そこで、各構成要素については、図１及び図２に示した第１実施例と同様の番号を参照して説明することとする。
【０１６２】
第３実施例は、図１及び図２若しくは図４に示したコンピュータ３００の内部において実行される動作が、第１及び第２実施例の場合と異なる。従って、以下では第３実施例の動作について説明する。より具体的には、第３実施例の表示装置付きミラー装置は、その動作において、画像処理部３０２ｂ（図２参照）が「合成手段」の一例として機能し、例えば、ヘアーカタログ等の映像とカメラによって撮影された顧客の映像との合成を行う。尚、図５に示すフローチャートでは、第１実施例の図３における「表示映像の選択及び指示」（ステップＳ１３）において、更に、「合成映像」が選択肢として設けられたものとして説明する。
【０１６３】
図５に示すように、先ず、表示映像の選択において（ステップＳ１３）、顧客２００の希望か又は美容師の勧めにより、「合成映像」が選択されると（ステップＳ４１：Ｙｅｓ）、記録装置３０４に記録されているヘアーカタログ等の映像データが、「合成手段」の一例を構成する画像処理部３０２ｂによって呼び出され、続いて映像データが表示制御部３０２ａによってディスプレイパネル１０２へ転送される（ステップＳ４２）。
【０１６４】
続いて又は同時に、自動的に又は美容師の手動によりカメラ１１０が「ＯＮ」状態とされて撮影が開始される（ステップＳ４３）。尚、カメラ１１０は、本フローチャートの「ＳＴＡＲＴ」時点より常に「ＯＮ」状態、即ち、撮影中の状態とされていてもよい。ここで、カメラ１１０は、ミラーとして機能しているハーフミラー１０１上に映った顧客２００の姿を撮影する。ここで、撮影された映像の映像信号はコンピュータ３００へ入力される。
【０１６５】
次に、ディスプレイパネル１０２の映像出力が「ＯＮ」状態とされる。これと同時に又は相前後して、呼び出されたカタログ映像及びカメラ１１０によって撮影された映像が、表示制御部３０２ａによって映像信号としてディスプレイパネル１０２へ転送される（ステップＳ４４）。
【０１６６】
続いて、カタログ映像及び顧客２００の姿のリアルタイム映像が同時に又は相前後して、ディスプレイパネル１０２の表示画面１０３に表示される（ステップＳ４５）。
【０１６７】
続いて、「合成手段」の一例を構成する画像処理部３０２ｂによって、画像の合成が行われ（ステップＳ４６）、合成された映像の表示がディスプレイパネル１０２にて行われる（ステップＳ４７）。
【０１６８】
ここで、図６を参照して、ステップＳ４６における画像の合成方法の詳細について以下に説明する。尚、ここでは、カタログ映像としてヘアーカタログ映像が、リアルタイム映像として表示されている顧客２００の姿のうち顔の部分に合成される場合を例にとって説明する。
【０１６９】
カタログ映像及び顧客２００の姿が同時に、表示画面１０３に表示されている状態において、先ず、図６に示すように、画像処理部３０２ｂによって、顧客２００の映像のうち顔の部分の切り出しが行われる（ステップＳ４６１）。次に、画像処理部３０２ｂによって、カタログ映像としての例えば、ヘアーの部分と合致するように、切り出された顧客２００の顔の部分についてサイズの調整が行われる（ステップＳ４６２）。続いて、同じく画像処理部３０２ｂによって、ヘアーの部分と合致するように、切り出された顧客２００の顔の部分の位置調整が行われる（ステップＳ４６３）。そして、このようにカタログ映像と顧客２００の顔の部分が合致した状態で、画像の明度調整、コントラスト調整、及びヘアカラー調整が行われる（ステップＳ４６４）。尚、上述のような切り出し、サイズ、位置、明度、コントラスト、及びヘアカラーの調整動作は、表示画面１０３の映像を見ながら入力部３０６を介して行われる美容師の手動によるものでもよいし、画像処理部３０２ｂでの画像認識等を用いての自動によるものでもよい。
【０１７０】
以上のような過程を経て、一つの合成映像が完成する（ステップＳ４６５）。その後、図５に戻り、表示画面１０３に合成映像が表示されるのである（ステップＳ４７）。
【０１７１】
以上に説明した「合成手段」により、ヘアーカット等の美容行為に先立って事前にシミュレーションが行われることにより、顧客２００は、希望する仕上がりのイメージに合うヘアースタイルに関して、より確信を持って選択及び決定を行なうことが可能である。しかも、このような画像の合成は、ハーフミラー１０１の前面に対しての顧客２００の視点を変えることなく行われるため、例えば、ミラーと別の表示画面上で画像の合成を行うような場合と比較してより容易に且つ余分なスペースを確保することなく行うことが可能である。
【０１７２】
（第４実施例）
次に、本発明の第４実施例について図７から図９を参照して説明する。
【０１７３】
先ず第４実施例の構成について図７及び図８を参照して説明する。ここに図７は、本実施例の表示装置付きミラー装置の全体構成を示す斜視図であり、図８は、その詳細構成を示すブロック図である。第４実施例に係る図７及び図８において、第１実施例に係る図１及び図２と同様の構成要素には同様の参照符号を付し、それらの説明については適宜省略する。
【０１７４】
第４実施例は、第１又は第２実施例の場合と比較して更に、被写体を照らす光源並びに被写体の存在を検出するセンサを備えて構成されており、コンピュータは、この光源を制御する光源制御部を備えて構成されている。また、カメラは、ハーフミラーの後側に配置されており、ハーフミラーを介して顧客を正面から撮影するように配置されており、ディスプレイパネルの表示画面は、ハーフミラーの全面よりも小さく構成されている。その他の構成については、図１及び図２を参照して説明した第１実施例の場合と概ね同様である。
【０１７５】
即ち図７及び図８に示すように、本実施例の表示装置付きミラー装置６００は、光源６０１及びセンサ６０２を備えて構成されている。尚、図８において、光源６０１及びセンサ６０２と被写体たる顧客２００とを含む構成に関しては、全体を上から見た図式的平面図として示されている。
【０１７６】
光源６０１は、例えば、電球、白熱灯、蛍光灯、ＬＥＤ等の照明装置を用いることができる。特には、例えば、カラーキネティクスＬＥＤ等を用い、デジタル制御等によって複数色を含む光色の切り替え制御、或いは点灯タイミングの制御を行うことによって、様々な演出効果を得ることが可能となる。そして、光源６０１は、図７に示すように、ハーフミラー１０１の外周に沿って配置されている。尚、光源６０１は、ハーフミラー１０１の外周に沿って複数点在させて設けてもよく、上下のみの縁又は左右のみの縁に設けてもよい。
【０１７７】
本実施例では特に、光源６０１より発せされる光の少なくとも一部は、外光の少なくとも一部として被写体たる顧客２００に対して照射される。よって、ハーフミラー１０１がミラーとして機能する場合において、より鮮明に顧客２００の姿を映し出すことが可能となる。
【０１７８】
センサ６０２は、本発明に係る「被写体検出手段」の一例を構成し、例えば、赤外線センサ等を用いることができる。センサ６０２は、図７に示すように、ディスプレイパネル１０２の上部に設けられている。
【０１７９】
センサ６０２は、ハーフミラー１０１の前面側における被写体たる顧客２００の存在を検出する。この検出に応じて、光源光を照射するタイミングを制御することが可能となっている。尚、センサ６０２の設置位置は、ハーフミラー１０１の前面側における被写体たる顧客２００の検出の妨げにならない場所であれば、図７に示す位置に限られるものではなく、ハーフミラー１０１又はディスプレイパネル１０２ｂの周囲、或いはハーフミラー１０１の後面側等に設置されてもよい。
【０１８０】
図８に示すように、本実施例のコンピュータ６１０は、制御部６１２において、表示制御部３０２ａ及び画像処理部３０２ｂに加えて更に、光源制御部６２０を備えて構成されている。尚、コンピュータ６１０は、本実施例においても第１実施例と同様に、更に記録装置３０４及び入力部３０６等を備えて構成されていてもよいが、図８においてはそれらの図示を省略している。
【０１８１】
ここで特に、センサ６０２は、制御部６１２に接続されており、被写体たる顧客２００の存在の検出に応じて、被写体検出信号が制御部６１２に入力される。また、制御部６１２のうち光源制御部６２０は、光源６０１に接続されており、光源制御信号が光源６０２に入力される。
【０１８２】
更に本実施例では、ディスプレイパネル１０２ｂは、その表示画面１０３ｂが、ハーフミラー１０１の全面積よりも小さく構成されており、且つ、ハーフミラー１０１の全面のうち一部に対応する位置に設置されている。このため、ハーフミラー１０１の後面側におけるディスプレイパネル１０２ｂと対応しない箇所に設置されたカメラ１３０によって、ハーフミラー１０１を介して、顧客２００を撮影することが可能となっている。
【０１８３】
尚、ここで、カメラ１３０と制御部６１２及び制御部６１２とディスプレイパネル１０２ｂの接続関係、映像信号の入出力関係に関しては、第１実施例又は第２実施例と同様である。
【０１８４】
本実施例では特に、カメラ１３０及び制御部６１０の画像処理部３０２ｂによって、他の「被写体検出手段」の一例として顧客２００の視線の検出が行われる。より具体的には、カメラ１３０によって撮影された映像を基に、特にはこの映像のうち顧客の目の部分の存在或いは視線が、画像処理部３０２ｂによって認識され、顧客２００がハーフミラー１０１を見ていることが検出される。そして更には、この検出結果に応じて、表示制御部３０２ａにより、ディスプレイパネル１０２ｂによる映像の表示又は非表示の切り替えが行われる。
【０１８５】
次に、本実施例の表示装置付きミラー装置６００の顧客の動作と連動した動作の一例について、図８に加えて図９のフローチャートを参照して、各動作の時間的関係を明らかにしながら以下に説明する。ここに図９は、第４実施例の動作の詳細を示すフローチャートである。
【０１８６】
先ず、ハーフミラー１０１の前面側に顧客２００が立つ又は座ると（ステップＳ７１）、センサ６０２は、顧客２００の存在を検出し、被写体検出信号を光源制御部６２０へ転送する。そして、この被写体検出信号に応じて光源制御部６２０は、光源６０１へ光源制御信号を転送することによって、光源６０１を点灯させる（ステップＳ７２）。このとき、顧客２００は照明としての光源６０１が発する光源光により照射されており、ミラーとして機能している状態のハーフミラー１０１には、第１又は第２実施例と比較して、顧客２００の姿がより鮮明に映し出されている。
【０１８７】
続いて又は同時に、顧客２００がハーフミラー１０１を向くと、即ち、顧客２００が視線をハーフミラー１０１に合わせると（ステップＳ７３：Ｙｅｓ）、これがカメラ１３０及び画像処理部３０２ｂにおいて認識されて、表示制御部３０２ａの制御により、ハーフミラー１０１の一部を介してディスプレイパネル１０２ｂにより映像が、表示される（ステップＳ７４）。このとき、ハーフミラー１０１上のディスプレイパネル１０２ｂと対応しない部分においては、ハーフミラー１０１は、そのままミラーとして機能しており、顧客２００の姿が映し出されている。即ち、この状態においてハーフミラー１０１の同一平面上には、ミラーとして映った顧客２００の姿と、例えば、カタログ映像若しくは以前に撮影された又はカタログ映像と合成された顧客２００の映像とが、並んで表示されていることとなる。
【０１８８】
尚、このとき、第１実施例において図３を参照して説明した、表示映像の選択指示（即ち、図３のステップＳ１３からステップＳ２３までの一連の動作）が行われてもよい。
【０１８９】
次に、ここで顧客２００の視線がハーフミラー１０１から外れると（ステップＳ７５）、これがカメラ１３０及び画像処理部３０２ｂにおいて認識されて、表示制御部３０２ａの制御により、映像が非表示状態とされる（ステップＳ７６）。
【０１９０】
続いて又は同時に、顧客２００がハーフミラー１０１の前面側から外れると（ステップＳ７７）、センサ６０２からの被写体検出信号が停止され、これに応じて、光源制御部６２０から光源６０１への光源制御信号が転送されることによって、光源６０１が消灯される（ステップＳ７８）。
【０１９１】
このような構成及び動作によって、顧客２００がハーフミラー１０１に視線を合わせたときに、該ハーフミラー１０１上の一部においては、ミラーとして映った顧客２００自身の姿を見ることが可能であり、他の一部にいては、表示画面１０３ｂに表示される映像を見ることが可能である。従って、容易に且つ適切なタイミングで両者を見比べることが可能となっている。このことは、例えば、髪型相談等が行われる際に、カタログ映像又は以前に撮影された顧客２００の映像と、ミラーに映った顧客２００の姿とを、同時に且つ同一平面上で見比べることができる点で非常に有効である。
【０１９２】
尚、顧客２００の存在の有無やハーフミラー１０１に対する視線の有無に応じての、光源６０１の点灯や消灯や、ディスプレイパネル１０２ｂによる表示開始又は表示終了の制御方法は、上述した制御方法に限られない。例えば、第４実施例の変形例として、ハーフミラー１０１に入射される外光強度に応じて、例えば、暗い場合に、光源２０１を点灯させるように制御してもよいし、或いは、暗い場合に、ディスプレイパネル１０２ｂに映像を表示するように制御してもよい。逆に、明るい場合に、光源２０１を消灯させるように制御してもよいし、或いは、明るい場合に、ディスプレイパネル１０２ｂの映像を停止するように制御してもよい。更に、カメラ１３０による撮影時に光源を点灯させるように制御してもよいし、カメラ１３０による撮影時にディスプレイパネル１０２ｂの映像を停止するように制御してもよい。ディスプレイパネル１０２ｂに映像を表示させる際に、光源２０１を消灯するように制御してもよい。何れにせよ、美容室等の当該表示装置付きのハーフミラー装置における実際の用途或いは使用環境に個別具体的に応じて、このような各種検出結果に応じた光源のオン・オフ制御や映像表示のオン・オフ制御を行うのが好ましく、光源６０１、ディスプレイパネル１０２ｂ及びカメラ１３０間の連動制御を行うのが好ましい。
【０１９３】
（第５実施例）
次に、本発明の第５実施例について図１０及び図１１を参照して説明する。ここに図１０は、本実施例の表示装置付きミラー装置の全体構成を示す斜視図であり、図１１は、その詳細構成を示すブロック図である。第５実施例に係る図１０及び図１１において、第１実施例に係る図１及び図２と同様の構成要素には同様の参照符号を付し、それらの説明については適宜省略する。
【０１９４】
第５実施例は、第１実施例の場合と比較して更に、ハーフミラーの前面側に、非接触型のタッチパネルを備えて構成されており、コンピュータの入力部には、このタッチパネルを介して入力信号が入力されるように構成されている。その他の構成については、図１及び図２を参照して説明した第１実施例の場合と同様である。
【０１９５】
即ち図１０及び図１１に示すように、第５実施例の表示装置付きミラー装置７００は、ハーフミラー１０１の前面側に、所定距離を隔てて非接触型のタッチパネル７２０を備える。このようなタッチパネル７２０は、例えばその面内の縦横方向に走査光を走らせ、これを遮る操作者の指等の動きを、その面内の座標として光学的に検出可能に構成されている。コンピュータ７１０が備える入力部７２６は、このようにタッチパネル７２０で検出される検出信号と、タッチパネル７２０の操作時にディスプレイパネル１０２に表示されているメニューボタン画像、キー画像、カーソル画像等との位置関係から、操作されたボタン等を特定可能に構成されている。
【０１９６】
従って、本実施例によれば、限られた美容室等の中にいる美容師等は、ハーフミラー１０１を介して表示されたディスプレイパネル１０２の画像上で、入力操作を行えるので大変便利である。しかも、非接触型であるので、ミラーを兼ねるハーフミラー１０１に指紋や油等を付けることもないので、実践的に大変優れている。但し、非接触型のタッチパネルに代えて、接触型のタッチパネルを用いても、指紋が付かない等の利益は多少損なわれるものの、相応の効果が得られる。例えば、新たに備える透明な基板面上か又は本実施例のハーフミラー１０１の半透過反射面上に近接して沿う様に走査光を走らせることによって、基板面上で入力ペン等を用いたハンドライティングによる入力を行うことが可能となる。このようなハンドライティング機能は、所謂電子ホワイトボードの要領で手書き画像を表示可能であるので、画像を用いたカウンセリングを行う上で非常に有効である。
【０１９７】
（第６実施例）
次に、本発明の第６実施例について図１２を参照して説明する。ここに図１２は、本実施例の表示装置付きミラー装置の詳細構成を示すブロック図である。第６実施例に係る図１２において、第１実施例に係る図１及び図２と同様の構成要素には同様の参照符号を付し、それらの説明については適宜省略する。
【０１９８】
第６実施例は、第１実施例の場合と異なり、カメラがディスプレイパネルの後面側に配置されており、ディスプレイパネルは透過型のものに限られる。その他の構成については、図１及び図２を参照して説明した第１実施例の場合と同様である。
【０１９９】
即ち図１２に示すように、第６実施例の表示装置付きミラー装置は、ハーフミラー１０２の後面側に、所定距離を隔ててカメラ１５０を備える。このようなカメラ１５０は、表示装置付きミラー装置全体を薄くするためには、小型であることが望ましい。但し、顧客２００側からは見えないため、見苦しいということは無いので、設置スペースが許せば大型であってもよい。更に、本実施例では特に、ディスプレイパネル１０２は、例えば透明基板上に形成された有機ＥＬパネルなどの、透過型のディスプレイパネルからなる。そして、カメラ１５０は、ハーフミラー１０１及びディスプレイパネル１０２を介して、顧客２００を撮影するように構成されている。
【０２００】
従って、本実施例によれば、顧客２００が、ハーフミラー１０１の中央においてディスプレイパネル１０２により表示される映像を正面から見ることを可能としつつ、カメラ１５０によって同様の姿勢にある顧客２００を正面から撮影することが可能となる。
【０２０１】
（第７実施例）
次に、本発明の第７実施例について図１３を参照して説明する。ここに図１３は、本実施例の表示装置付きミラー装置の詳細構成を示すブロック図である。第７実施例に係る図１３において、第１実施例に係る図１及び図２と同様の構成要素には同様の参照符号を付し、それらの説明については適宜省略する。
【０２０２】
第７実施例は、第１実施例の場合と異なり、カメラがハーフミラーとディスプレイパネルとの間の間隙内に配置されている。その他の構成については、図１及び図２を参照して説明した第１実施例の場合と同様である。
【０２０３】
即ち図１３に示すように、第７実施例の表示装置付きミラー装置は、ハーフミラー１０２とディスプレイパネル１０２との間の空間に、ＣＣＤ或いはマイクロスコープ等の小型のカメラ１６０が、配置されている。このようなカメラ１６０は、小型であるために、ディスプレイパネル１０２の表示画面１０３の一部を覆っても実害は小さい。このためには、表示画面１０３の縁に寄せて配置しておけばなお良い。
【０２０４】
但し、このようなカメラ１６０は、手動若しくは電気的又は機械的に表示画面１０３に沿って移動可能に構成してもよい。即ち、撮影の際にのみ、所定の撮影位置に移動するように構成してもよい。カメラ１６０は、小型であるため、これを移動させるための機構も小型で済む。
【０２０５】
従って、本実施例によれば、表示装置付きミラー装置を薄型化或いは軽量化することが可能となり、限られた美容室等のスペース内に配置するのに適した装置として構築できる。
【０２０６】
尚、本実施例の変形例として、ＣＣＤやマイクロスコープ等の小型のカメラ１６０を、ハーフミラー１０１の一部に（好ましくは、その中央から外れた縁付近に）埋め込むことも可能である。縁寄りの微小領域であれば、顧客２００は、ミラーとして機能しない部分に気付く可能性は低く、気付いても実害は殆ど無い。或いは、このような小型のカメラ１６０を、ハーフミラー１０１の縁周囲に設けられた造花や装飾品の一部に忍ばせるような構成としてもよい。何れの場合にも、小型であるが故に、撮影時や非撮影時に顧客２００に対してカメラ１６０の存在を目立たなくし、撮影という緊張感や、心理的負担を軽減することが可能となる。
【０２０７】
（第８実施例）
次に、本発明の第８実施例について図１４を参照して説明する。ここに図１４は、本実施例の表示装置付きミラー装置の詳細構成を示すブロック図である。第８実施例に係る図１４において、第１実施例に係る図１及び図２と同様の構成要素には同様の参照符号を付し、それらの説明については適宜省略する。
【０２０８】
第８実施例は、第１実施例の場合と比較して、ハーフミラーとディスプレイパネルとの間に、光学シャッターが配置されている。その他の構成については、図１及び図２を参照して説明した第１実施例の場合と同様である。尚、本実施例においては、カメラはなくても十分な効果が得られるため、図１４では、カメラを不図示としてある。
【０２０９】
即ち図１４に示すように、第８実施例の表示装置付きミラー装置は、ハーフミラー１０２とディスプレイパネル１０２との間の空間に、光学シャッター８００が配置されている。光学シャッター８００は、電圧印加により反射率及び透過率が可変とされる電気光学式等で構成される。例えば、光学シャッター８００は、２枚のガラス基板間に、電圧印加により反射率及び透過率が可変とされる電気光学式シャッターから構成される。このような電気光学式シャッターとしては、例えば、分散型液晶シートを２枚の硝子の間にラミネートしたもので、電圧をオン・オフすることによって液晶の配列をコントロールし、ガラスの透過性を瞬時に調整可能である公知のガラス製品を利用することが可能である。
【０２１０】
本実施例では更に、このように構成された光学シャッター８００は、コンピュータ３００の備えた表示制御部３０２ａにより、ディスプレイパネル１０２の表示と連動してオン・オフ制御される。具体的には、ディスプレイパネル１０２で映像を表示する際には、表示制御部３０２ａによって光学シャッター８００を透過率が高い状態に制御する。これにより、鮮明な映像を光学シャッター８００及びハーフミラー１０１を介して表示できる。逆に、ディスプレイパネル１０２で映像を表示しない際には、表示制御部３０２ａによって光学シャッター８００を透過率が低い状態に制御する。これにより、裏面側からの光が遮断されるので、鮮明な鏡像をハーフミラー１０１の表面に表示できる。
【０２１１】
従って、本実施例によれば、表示装置付きミラー装置のミラーとしての機能と表示装置としての機能との両者を高めることができる。
【０２１２】
尚、本実施例の変形例として、ハーフミラー１０１を、その透過率及び反射率が電圧印加により可変とされる電気光学式等で構成してもよい。即ち、ハーフミラー１０２において、前面側からの光が部分的に選択的に反射可能とされ、且つ、後面側からのが部分的に選択的に透過可能とされるよう構成してもよい。
【０２１３】
（第９実施例）
次に、本発明の第９実施例について図１５を参照して説明する。ここに図１５は、本実施例の表示装置付きミラー装置の詳細構成を示すブロック図である。第９実施例に係る図１５において、第１実施例に係る図１及び図２と同様の構成要素には同様の参照符号を付し、それらの説明については適宜省略する。
【０２１４】
第９実施例は、第１実施例の場合と比較して、ハーフミラーはその面内に完全ミラーの領域とハーフミラーの領域との両者を含むように構成されており、これらのうちハーフミラーの領域に対向するようにディスプレイパネルが配置されている点が異なる。その他の構成については、図１及び図２を参照して説明した第１実施例の場合と同様である。尚、本実施例においては、カメラはなくても十分な効果が得られるため、図１５では、カメラを不図示としてある。
【０２１５】
即ち図１５に示すように、第９実施例の表示装置付きミラー装置では、ハーフミラー９００が、完全ミラー領域９０１（図中、右下がりの斜線領域）とハーフミラー領域９０２とを含んで構成されている。これらのうち完全ミラー領域９０１は、通常のミラーと同様に、例えば、アルミニウム膜、水銀膜等から構成されている。これに対して、ハーフミラー領域９０２は、既に説明した上述した各実施例に係るハーフミラー１０１と同様に構成されている。ディスプレイパネル１０２ｂは、ハーフミラー９００と比べて小型であり、その表示画面１０３ｂの平面サイズが、ハーフミラー領域９０２に対応するように構成されている。
【０２１６】
従って、本実施例によれば、表示装置付きミラー装置のミラーとしての機能と表示装置としての機能との両者を高めることができる。特に、ハーフミラーを介して表示画像が見える可能性の無い反射面については、文字通り、半透過反射面ではなく、通常のミラーと同様の反射面であるので、この部分における鏡像を非常に鮮明なものにできる。
【０２１７】
本発明は、上述した実施形態或いは実施例に限られるものではなく、請求の範囲及び明細書全体から読み取れる発明の要旨或いは思想に反しない範囲で適宜変更可能であり、そのような変更を伴う表示装置付きミラー装置もまた本発明の技術的範囲に含まれるものである。
【図面の簡単な説明】
【図１】第１実施例に係る表示装置付きミラー装置の全体構成を示す斜視図である。
【図２】第１実施例に係る表示装置付きミラー装置の詳細構成を示すブロック図である。
【図３】第１実施例に係る表示装置付きミラー装置１００の動作を示すフローチャートである。
【図４】第２実施例に係る表示装置付きミラー装置の全体構成を示す斜視図である。
【図５】第３実施例に係る表示装置付きミラー装置１００の動作を示すフローチャートである。
【図６】第３実施例に係る「合成手段」の動作を示すフローチャートである。
【図７】第４実施例に係る表示装置付きミラー装置の全体構成を示す斜視図である。
【図８】第４実施例に係る表示装置付きミラー装置の詳細構成を示すブロック図である。
【図９】第４実施例に係る表示装置付きミラー装置１００の動作を示すフローチャートである。
【図１０】第５実施例に係る表示装置付きミラー装置の全体構成を示す斜視図である。
【図１１】第５実施例に係る表示装置付きミラー装置の詳細構成を示すブロック図である。
【図１２】第６実施例に係る表示装置付きミラー装置の詳細構成を示すブロック図である。
【図１３】第７実施例に係る表示装置付きミラー装置の詳細構成を示すブロック図である。
【図１４】第８実施例に係る表示装置付きミラー装置の詳細構成を示すブロック図である。
【図１５】第９実施例に係る表示装置付きミラー装置の詳細構成を示すブロック図である。
【符号の説明】
１００、６００・・・表示装置付きミラー装置、１０１・・・ハーフミラー、１０２・・・ディスプレイパネル、１０３・・・表示画面、１１０、１２０、１３０、１６０・・・カメラ、２００・・・顧客、３００、６１０、７１０・・・コンピュータ、３０２・・・制御部、３０２ａ・・・表示制御部、３０２ｂ・・・画像処理部、６２０・・・光源制御部、３０４・・・記録装置、３０６、７２６・・・入力部
【図１】
2004357103.tif 000003
【図２】
2004357103.tif 000004
【図３】
2004357103.tif 000005
【図４】
2004357103.tif 000006
【図５】
2004357103.tif 000007
【図６】
2004357103.tif 000008
【図７】
2004357103.tif 000009
【図８】
2004357103.tif 000010
【図９】
2004357103.tif 000011
【図１０】
2004357103.tif 000012
【図１１】
2004357103.tif 000013
【図１２】
2004357103.tif 000014
【図１３】
2004357103.tif 000015
【図１４】
2004357103.tif 000016
【図１５】
2004357103.tif 000017